(57)【要約】  本発明は、チャネル伝送方法、装置及びコンピュータ記憶媒体を提供し、前記方法は、端末デバイスが第１の情報を受信し、第１の情報は、ネットワークデバイスが端末デバイスのために第１の時間ユニットで割り当てる第１の伝送リソース及び第２の伝送リソースを示し、第１の伝送リソースが第１の上り制御チャネルを伝送し、第２の伝送リソースが第２の上り制御チャネルを伝送し、端末デバイスがチャンネル検出結果に基づいて、第１の時間ユニットにおいて第１の上り制御チャネル及び／又は第２の上り制御チャネルを伝送することを含む。
2021516894.tif 000002
【特許請求の範囲】
【請求項１】
端末デバイスが第１の情報を受信し、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送することと、
前記端末デバイスがチャンネル検出結果に基づいて、前記第１の時間ユニットにおいて前記第１の上り制御チャネル及び／又は前記第２の上り制御チャネルを伝送することとを含む
ことを特徴とするチャネル伝送方法。
【請求項２】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する
ことを特徴とする請求項１に記載のチャネル伝送方法。
【請求項３】
前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行い、前記第１の伝送リソースの開始シンボルの前にチャネル検出が成功したと判断した場合、前記端末デバイスが前記第１の伝送リソースの開始シンボルから前記第１の上り制御チャネルを送信し、前記第１の伝送リソースの開始シンボルの前にチャネル検出が失敗したと判断した場合、前記端末デバイスが前記第１の上り制御チャネルを送信せず、
前記端末デバイスが前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信し、前記第２の伝送リソースの開始シンボルの前にチャネル検出が失敗したと判断した場合、前記端末デバイスが前記第２の上り制御チャネルを送信しないこととを含む
ことを特徴とする請求項２に記載のチャネル伝送方法。
【請求項４】
前記第２の伝送リソースの開始シンボルが前記第１の伝送リソースの開始シンボルよりも遅く、
前記第１の伝送リソースと前記第２の伝送リソースとは、時間領域において隣接し、重複されない
ことを特徴とする請求項１に記載のチャネル伝送方法。
【請求項５】
前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行うことと、
前記第１の伝送リソースの開始シンボルの前にチャネル検出が成功したと判断した場合、前記端末デバイスが前記第１の伝送リソースの開始シンボルから前記第１の上り制御チャネルを送信し、前記第１の上り制御チャネルの伝送が終了してから前記第２の上り制御チャネルを送信することと、
前記第１の伝送リソースの開始シンボルの前にチャネル検出が失敗したと判断した場合、前記端末デバイスが前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信することとを含む
ことを特徴とする請求項４に記載のチャネル伝送方法。
【請求項６】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される
ことを特徴とする請求項１に記載のチャネル伝送方法。
【請求項７】
前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行うことと、
前記第１の伝送リソースの開始シンボルの前にチャネル検出が成功したと判断した場合、前記端末デバイスが前記第１の伝送リソースの開始シンボルから前記第１の上り制御チャネルを送信し、前記第２の上り制御チャネルを送信せず、
前記第１の伝送リソースの開始シンボルの前にチャネル検出が失敗したと判断した場合、前記端末デバイスが前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信することとを含む
ことを特徴とする請求項６に記載のチャネル伝送方法。
【請求項８】
前記端末デバイスが前記第１の上り制御チャネル及び前記第２の上り制御チャネルにおいて同じ第１の上り制御情報を伝送する
ことを特徴とする請求項１〜７のいずれか１項に記載のチャネル伝送方法。
【請求項９】
前記端末デバイスが前記第１の上り制御チャネルにおいて第１の上り制御情報のうちの優先度の低い情報を伝送し、前記第２の上り制御チャネルにおいて第１の上り制御情報のうちの優先度の高い情報を伝送する
ことを特徴とする請求項１〜７のいずれか１項に記載のチャネル伝送方法。
【請求項１０】
前記端末デバイスが前記第１の上り制御チャネルにおいてチャネル状態情報を伝送し、前記第２の上り制御チャネルにおいてハイブリッド自動再送情報又はスケジューリング要求情報を伝送する
ことを特徴とする請求項１〜７のいずれか１項に記載のチャネル伝送方法。
【請求項１１】
端末デバイスが第２の情報を受信し、前記第２の情報は、ネットワークデバイスが前記端末デバイスのために第１の時間ユニットで割り当てる第１の伝送リソースを示すために使用され、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅いことと、
前記端末デバイスがチャンネル検出結果に基づいて、前記第１の時間ユニットにおいて前記第１の開始シンボル又は前記第２の開始シンボルから前記第１の上り制御チャネルを伝送することとを含む
ことを特徴とするチャネル伝送方法。
【請求項１２】
前記端末デバイスがチャンネル検出結果に基づいて、前記第１の時間ユニットにおいて前記第１の開始シンボル又は前記第２の開始シンボルから第１の上り制御チャネルを伝送することは、
前記端末デバイスが前記第１の開始シンボルの前にチャネル検出を行うことと、
前記第１の開始シンボルの前にチャネル検出が成功したと判断した場合、前記端末デバイスが前記第１の開始シンボルから前記第１の上り制御チャネルを送信することと、
前記第１の開始シンボルの前にチャネル検出が失敗したと判断した場合、前記端末デバイスが前記第２の開始シンボルの前にチャネル検出を行い、前記第２の開始シンボルの前に前チャネル検出が成功したと判断した場合、前記端末デバイスが前記第２の開始シンボルから前記第１の上り制御チャネルを送信し、前記第２の開始シンボルの前にチャネル検出が失敗したと判断した場合、前記端末デバイスが前記第１の上り制御チャネルを送信しないこととを含む
ことを特徴とする請求項１１に記載のチャネル伝送方法。
【請求項１３】
前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記端末デバイスが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる
ことを特徴とする請求項１１又は１２に記載のチャネル伝送方法。
【請求項１４】
前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記端末デバイスが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる
ことを特徴とする請求項１１又は１２に記載のチャネル伝送方法。
【請求項１５】
前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記端末デバイスが前記第２の開始シンボルから前記第１の上り制御チャネルを送信する時に、前記第１の上り制御チャネルに第２の伝送情報が搬送され、前記第２の伝送情報は、前記第１の上り制御情報の符号化後に前記第２の開始シンボルからレートマッチングを行うことにより得られる
ことを特徴とする請求項１１又は１２に記載のチャネル伝送方法。
【請求項１６】
ネットワークデバイスが端末デバイスに第１の情報を送信し、前記第１の情報は、前記ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送することと、
前記ネットワークデバイスが前記第１の時間ユニットにおいて前記第１の上り制御チャネル及び／又は前記第２の上り制御チャネルを受信することとを含む
ことを特徴とするチャネル伝送方法。
【請求項１７】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する
ことを特徴とする請求項１６に記載のチャネル伝送方法。
【請求項１８】
前記ネットワークデバイスが前記第１の時間ユニットにおいて前記第１の上り制御チャネル及び／又は前記第２の上り制御チャネルを受信することは、
前記ネットワークデバイスが前記第１の伝送リソースにおいて前記第１の上り制御チャネルを検出し、前記第２の伝送リソースにおいて前記第２の上り制御チャネルを検出することを含む
ことを特徴とする請求項１７に記載のチャネル伝送方法。
【請求項１９】
前記第２の伝送リソースの開始シンボルが前記第１の伝送リソースの開始シンボルよりも遅く、
前記第１の伝送リソースと前記第２の伝送リソースとは、時間領域において隣接し、重複されない
ことを特徴とする請求項１６に記載のチャネル伝送方法。
【請求項２０】
前記ネットワークデバイスが前記第１の時間ユニットにおいて前記第１の上り制御チャネル及び／又は前記第２の上り制御チャネルを受信することは、
前記ネットワークデバイスが前記第１の伝送リソースにおいて前記第１の上り制御チャネルを検出することと、
前記第１の伝送リソースにおいて前記第１の上り制御チャネルを検出したと判断した場合、前記ネットワークデバイスが前記第１の伝送リソースにおいて前記第１の上り制御チャネルを受信し、前記第２の伝送リソースにおいて前記第２の上り制御チャネルを受信することと、
前記第１の伝送リソースにおいて前記第１の上り制御チャネルを検出しなかったと判断した場合、前記ネットワークデバイスが前記第２の伝送リソースにおいて前記第２の上り制御チャネルを検出することとを含む
ことを特徴とする請求項１９に記載のチャネル伝送方法。
【請求項２１】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される
ことを特徴とする請求項１６に記載のチャネル伝送方法。
【請求項２２】
前記ネットワークデバイスが前記第１の時間ユニットにおいて前記第１の上り制御チャネル及び／又は前記第２の上り制御チャネルを受信することは、
前記ネットワークデバイスが前記第１の伝送リソースにおいて前記第１の上り制御チャネルを検出することと、
前記第１の伝送リソースにおいて前記第１の上り制御チャネルを検出したと判断した場合、前記ネットワークデバイスが前記第１の伝送リソースにおいて前記第１の上り制御チャネルを受信し、前記第２の伝送リソースにおいて前記第２の上り制御チャネルを検出せず、
前記第１の伝送リソースにおいて前記第１の上り制御チャネルを検出しなかったと判断した場合、前記ネットワークデバイスが前記第２の伝送リソースにおいて前記第２の上り制御チャネルを検出することとを含む
ことを特徴とする請求項２１に記載のチャネル伝送方法。
【請求項２３】
前記第１の情報は、さらに、前記端末デバイスが前記第１の上り制御チャネル及び前記第２の上り制御チャネルにおいて同じ第１の上り制御情報を伝送するように指示する
ことを特徴とする請求項１６〜２２のいずれか１項に記載のチャネル伝送方法。
【請求項２４】
前記第１の情報は、さらに、前記端末デバイスが前記第１の上り制御チャネルにおいて第１の上り制御情報のうちの優先度の低い情報を伝送し、前記第２の上り制御チャネルにおいて第１の上り制御情報のうちの優先度の高い情報を伝送するように指示する
ことを特徴とする請求項１６〜２２のいずれか１項に記載のチャネル伝送方法。
【請求項２５】
前記第１の情報は、さらに、前記端末デバイスが前記第１の上り制御チャネルにおいてチャネル状態情報を伝送し、前記第２の上り制御チャネルにおいてハイブリッド自動再送情報又はスケジューリング要求情報を伝送するように指示する
ことを特徴とする請求項１６〜２２のいずれか１項に記載のチャネル伝送方法。
【請求項２６】
ネットワークデバイスが端末デバイスに第２の情報を送信し、前記第２の情報は、前記ネットワークデバイスが前記端末デバイスのために前記第１の時間ユニットで割り当てる第１の伝送リソースを示すために用いられ、前記第１の伝送リソースが第１の上り制御チャネルを伝送し、前記第１の伝送リソースが少なくとも２つの開始シンボルを含み、前記少なくとも２つの開始シンボルが前記第１の開始シンボル及び前記第２の開始シンボルを含み、前記第２の開始シンボルが前記第１の開始シンボルよりも遅いことと、
前記ネットワークデバイスが前記第１の時間ユニットにおいて前記第１の開始シンボル又は前記第２の開始シンボルから前記第１の上り制御チャネルを受信することとを含む
ことを特徴とするチャネル伝送方法。
【請求項２７】
前記ネットワークデバイスが前記第１の時間ユニットにおいて前記第１の開始シンボル又は前記第２の開始シンボルから前記第１の上り制御チャネルを受信することは、
前記ネットワークデバイスが前記第１の開始シンボルから前記第１の上り制御チャネルを検出することと、
前記第１の開始シンボルから前記第１の上り制御チャネルを検出したと判断した場合、前記ネットワークデバイスが前記第１の開始シンボルから前記第１の上り制御チャネルを受信することと、
前記第１の開始シンボルから前記第１の上り制御チャネルを検出しなかったと判断した場合、前記ネットワークデバイスが前記第２の開始シンボルから前記第１の上り制御チャネルを検出することとを含む
ことを特徴とする請求項２６に記載のチャネル伝送方法。
【請求項２８】
前記ネットワークデバイスが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記ネットワークデバイスが前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる
ことを特徴とする請求項２６又は２７に記載のチャネル伝送方法。
【請求項２９】
前記ネットワークデバイスが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記ネットワークデバイスが前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる
ことを特徴とする請求項２６又は２７に記載のチャネル伝送方法。
【請求項３０】
前記ネットワークデバイスが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記ネットワークデバイスが前記第２の開始シンボルから前記第１の上り制御チャネルを受信する時に、前記第１の上り制御チャネルに第２の伝送情報が搬送され、前記第２の伝送情報は、前記第１の上り制御情報の符号化後に前記第２の開始シンボルからレートマッチングを行うことにより得られる
ことを特徴とする請求項２６又は２７に記載のチャネル伝送方法。
【請求項３１】
受信ユニットと、送信ユニットと、を備えるチャネル伝送装置であって、
前記受信ユニットは、第１の情報を受信するように構成され、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送し、
前記送信ユニットは、チャンネル検出結果に基づいて、前記第１の時間ユニットにおいて前記第１の上り制御チャネル及び／又は前記第２の上り制御チャネルを伝送するように構成される
ことを特徴とするチャネル伝送装置。
【請求項３２】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する
ことを特徴とする請求項３１に記載のチャネル伝送装置。
【請求項３３】
処理ユニットをさらに含み、
前記処理ユニットが前記第１の伝送リソースの開始シンボルの前にチャネル検出を行い、前記第１の伝送リソースの開始シンボルの前にチャネル検出が成功したと判断した場合、前記送信ユニットが前記第１の伝送リソースの開始シンボルから前記第１の上り制御チャネルを送信し、前記第１の伝送リソースの開始シンボルの前にチャネル検出が失敗したと判断した場合、前記第１の上り制御チャネルを送信せず、
前記処理ユニットが前記第２の伝送リソースの開始シンボルの前にチャネル検出を行い、前記第２の伝送リソースの開始シンボルの前にチャネル検出が成功したと判定した場合、前記送信ユニットが前記第２の伝送リソースの開始シンボルから前記第２の上り制御チャネルを送信し、前記第２の伝送リソースの開始シンボルの前にチャネル検出が失敗したと判定した場合、前記第２の上り制御チャネルを送信しないように構成される
ことを特徴とする請求項３２に記載のチャネル伝送装置。
【請求項３４】
前記第２の伝送リソースの開始シンボルが前記第１の伝送リソースの開始シンボルよりも遅く、
前記第１の伝送リソースと前記第２の伝送リソースとは、時間領域において隣接し、重複されない
ことを特徴とする請求項３１に記載のチャネル伝送装置。
【請求項３５】
処理ユニットをさらに含み、
前記処理ユニットが前記第１の伝送リソースの開始シンボルの前にチャネル検出を行い、前記第１の伝送リソースの開始シンボルの前にチャネル検出が成功したと判断した場合、前記送信ユニットが前記第１の伝送リソースの開始シンボルから前記第１の上り制御チャネルを送信し、前記第１の上り制御チャネルの伝送が終了してから前記第２の上り制御チャネルを送信し、前記第１の伝送リソースの開始シンボルの前にチャネル検出が失敗したと判断した場合、前記第１の上り制御チャネルを送信せず、前記第２の伝送リソースの開始シンボルの前にチャネル検出を行い、
前記処理ユニットが前記第２の伝送リソースの開始シンボルの前にチャネル検出が成功したと判断した場合、前記送信ユニットが前記第２の伝送リソースの開始シンボルから前記第２の上り制御チャネルを送信するように構成される
ことを特徴とする請求項３４に記載のチャネル伝送装置。
【請求項３６】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される
ことを特徴とする請求項３１に記載のチャネル伝送装置。
【請求項３７】
処理ユニットをさらに含み、
前記処理ユニットが前記第１の伝送リソースの開始シンボルの前にチャネル検出を行い、前記第１の伝送リソースの開始シンボルの前にチャネル検出が成功したと判断した場合、前記送信ユニットが前記第１の伝送リソースの開始シンボルから前記第１の上り制御チャネルを送信し、前記第２の上り制御チャネルを送信せず、
前記処理ユニットが前記第１の伝送リソースの開始シンボルの前にチャネル検出が失敗したと判断した場合、前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記送信ユニットが前記第２の伝送リソースの開始シンボルから前記第２の上り制御チャネルを送信するように構成される
ことを特徴とする請求項３６に記載のチャネル伝送装置。
【請求項３８】
前記送信ユニットは、前記第１の上り制御チャネル及び前記第２の上り制御チャネルにおいて同じ第１の上り制御情報を伝送する
ことを特徴とする請求項３１〜３７のいずれか１項に記載のチャネル伝送装置。
【請求項３９】
前記送信ユニットは、前記第１の上り制御チャネルにおいて第１の上り制御情報のうちの優先度の低い情報を伝送し、前記第２の上り制御チャネルにおいて第１の上り制御情報のうちの優先度の高い情報を伝送する
ことを特徴とする請求項３１〜３７のいずれか１項に記載のチャネル伝送装置。
【請求項４０】
前記送信ユニットは、前記第１の上り制御チャネルにおいてチャネル状態情報を伝送し、前記第２の上り制御チャネルにおいてハイブリッド自動再送情報又はスケジューリング要求情報を伝送する
ことを特徴とする請求項３１〜３７のいずれか１項に記載のチャネル伝送装置。
【請求項４１】
受信ユニットと、送信ユニットと、を備えるチャネル伝送装置であって、
受信ユニットは、第２の情報を受信するように構成され、前記第２の情報は、ネットワークデバイスが前記端末デバイスのために第１の時間ユニットで割り当てる第１の伝送リソースを示すために使用され、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅く、
送信ユニットは、チャンネル検出結果に基づいて、前記第１の時間ユニットにおいて前記第１の開始シンボル又は前記第２の開始シンボルから前記第１の上り制御チャネルを伝送するように構成される
ことを特徴とするチャネル伝送装置。
【請求項４２】
処理ユニットをさらに含み、
前記処理ユニットが前記第１の開始シンボルの前にチャネル検出を行い、前記第１の開始シンボルの前にチャネル検出が成功したと判断した場合、前記送信ユニットが前記第１の開始シンボルから前記第１の上り制御チャネルを送信し、前記第１の開始シンボルの前にチャネル検出が失敗したと判断した場合、前記第２の開始シンボルの前にチャネル検出を行い、前記第２の開始シンボルの前にチャネル検出が成功したと判断した場合、前記送信ユニットが前記第２の開始シンボルから前記第１の上り制御チャネルを送信し、前記第２の開始シンボルの前にチャネル検出が失敗したと判断した場合、前記第１の上り制御チャネルを送信しないように構成される
ことを特徴とする請求項４１に記載のチャネル伝送装置。
【請求項４３】
前記送信ユニットが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記送信ユニットが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる
ことを特徴とする請求項４１又は４２に記載のチャネル伝送装置。
【請求項４４】
前記送信ユニットが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記送信ユニットが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる
ことを特徴とする請求項４１又は４２に記載のチャネル伝送装置。
【請求項４５】
前記送信ユニットが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記送信ユニットが前記第２の開始シンボルから前記第１の上り制御チャネルを送信する時に、前記第１の上り制御チャネルに第２の伝送情報が搬送され、前記第２の伝送情報は、前記第１の上り制御情報の符号化後に前記第２の開始シンボルからレートマッチングを行うことにより得られる
ことを特徴とする請求項４１又は４２に記載のチャネル伝送装置。
【請求項４６】
送信ユニットと、受信ユニットと、を備えるチャネル伝送装置であって、
前記送信ユニットは、端末デバイスに第１の情報を送信するように構成され、前記第１の情報は、前記ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送し、
前記受信ユニットは、前記第１の時間ユニットにおいて前記第１の上り制御チャネル及び／又は前記第２の上り制御チャネルを受信するように構成される
ことを特徴とするチャネル伝送装置。
【請求項４７】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する
ことを特徴とする請求項４６に記載のチャネル伝送装置。
【請求項４８】
前記受信ユニットは、前記第１の伝送リソースにおいて前記第１の上り制御チャネルを検出し、前記第２の伝送リソースにおいて前記第２の上り制御チャネルを検出するように構成される
ことを特徴とする請求項４７に記載のチャネル伝送装置。
【請求項４９】
前記第２の伝送リソースの開始シンボルが前記第１の伝送リソースの開始シンボルよりも遅く、
前記第１の伝送リソースと前記第２の伝送リソースとは、時間領域において隣接し、重複されない
ことを特徴とする請求項４６に記載のチャネル伝送装置。
【請求項５０】
前記受信ユニットは、前記第１の伝送リソースにおいて前記第１の上り制御チャネルを検出し、前記第１の伝送リソースにおいて前記第１の上り制御チャネルを検出したと判断した場合、前記第１の伝送リソースにおいて前記第１の上り制御チャネルを受信し、前記第２の伝送リソースにおいて前記第２の上り制御チャネルを受信し、前記第１の伝送リソースにおいて前記第１の上り制御チャネルを検出しなかったと判断した場合、前記第２の伝送リソースにおいて前記第２の上り制御チャネルを検出するように構成される
ことを特徴とする請求項４９に記載のチャネル伝送装置。
【請求項５１】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される
ことを特徴とする請求項４６に記載のチャネル伝送装置。
【請求項５２】
前記受信ユニットは、前記第１の伝送リソースにおいて前記第１の上り制御チャネルを検出し、前記第１の伝送リソースにおいて前記第１の上り制御チャネルを検出したと判断した場合、前記第１の伝送リソースにおいて前記第１の上り制御チャネルを受信し、前記第２の伝送リソースにおいて前記第２の上り制御チャネルを検出せず、前記第１の伝送リソースにおいて前記第１の上り制御チャネルを検出しなかったと判断した場合、前記第２の伝送リソースにおいて前記第２の上り制御チャネルを検出するように構成される
ことを特徴とする請求項５１に記載のチャネル伝送装置。
【請求項５３】
前記第１の情報は、さらに、前記端末デバイスが前記第１の上り制御チャネル及び前記第２の上り制御チャネルにおいて同じ第１の上り制御情報を伝送するように指示する
ことを特徴とする請求項４６〜５２のいずれか１項に記載のチャネル伝送装置。
【請求項５４】
前記第１の情報は、さらに、前記端末デバイスが前記第１の上り制御チャネルにおいて第１の上り制御情報のうちの優先度の低い情報を伝送し、前記第２の上り制御チャネルにおいて第１の上り制御情報のうちの優先度の高い情報を伝送するように指示する
ことを特徴とする請求項４６〜５２のいずれか１項に記載のチャネル伝送装置。
【請求項５５】
前記第１の情報は、さらに、前記端末デバイスが前記第１の上り制御チャネルにおいてチャネル状態情報を伝送し、前記第２の上り制御チャネルにおいてハイブリッド自動再送情報又はスケジューリング要求情報を伝送するように指示する
ことを特徴とする請求項４６〜５２のいずれか１項に記載のチャネル伝送装置。
【請求項５６】
送信ユニットと、受信ユニットと、を備えるチャネル伝送装置であって、
前記送信ユニットは、端末デバイスに第２の情報を送信するように構成され、前記第２の情報は、前記ネットワークデバイスが前記端末デバイスのために前記第１の時間ユニットで割り当てる第１の伝送リソースを示すために用いられ、前記第１の伝送リソースが第１の上り制御チャネルを伝送し、前記第１の伝送リソースが少なくとも２つの開始シンボルを含み、前記少なくとも２つの開始シンボルが前記第１の開始シンボル及び前記第２の開始シンボルを含み、前記第２の開始シンボルが前記第１の開始シンボルよりも遅く、
前記受信ユニットは、前記第１の時間ユニットにおいて前記第１の開始シンボル又は前記第２の開始シンボルから前記第１の上り制御チャネルを受信するように構成される
ことを特徴とするチャネル伝送装置。
【請求項５７】
前記受信ユニットは、前記第１の開始シンボルから前記第１の上り制御チャネルを検出し、前記第１の開始シンボルから前記第１の上り制御チャネルを検出したと判断した場合、前記第１の開始シンボルから前記第１の上り制御チャネルを受信し、前記第１の開始シンボルから前記第１の上り制御チャネルを検出しなかったと判断した場合、前記第２の開始シンボルから前記第１の上り制御チャネルを検出するように構成される
ことを特徴とする請求項５６に記載のチャネル伝送装置。
【請求項５８】
前記受信ユニットが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記受信ユニットが前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる
ことを特徴とする請求項５６又は５７に記載のチャネル伝送装置。
【請求項５９】
前記受信ユニットが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記受信ユニットが前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる
ことを特徴とする請求項５６又は５７に記載のチャネル伝送装置。
【請求項６０】
前記受信ユニットが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記受信ユニットが前記第２の開始シンボルから前記第１の上り制御チャネルを受信する時に、前記第１の上り制御チャネルに第２の伝送情報が搬送され、前記第２の伝送情報は、前記第１の上り制御情報の符号化後に前記第２の開始シンボルからレートマッチングを行うことにより得られる
ことを特徴とする請求項５６又は５７に記載のチャネル伝送装置。
【請求項６１】
プロセッサによって実行されると、請求項１〜１０のいずれか１項に記載の方法ステップ、または請求項１１〜１５のいずれか１項に記載の方法ステップ、または請求項１６〜２５のいずれか１項に記載の方法ステップ、または請求項２６〜３０のいずれか１項に記載の方法ステップを実現するコンピュータ実行可能命令を記憶した
ことを特徴とするコンピュータ記憶媒体。
【発明の詳細な説明】
【技術分野】
【０００１】
本発明は、無線通信技術分野に関し、特に、チャネル伝送方法、装置及びコンピュータ記憶媒体に関する。
【背景技術】
【０００２】
無線通信技術の発展に伴い、ロングタームエボリューション( ＬＴＥ、Ｌｏｎｇ Ｔｅｒｍ Ｅｖｏｌｕｔｉｏｎ )システムに基づく免許補助アクセスシステム( ＬＡＡ−ＬＴＥ、Ｌｉｃｅｎｓｅｄ−Ａｓｓｉｓｔｅｄ Ａｃｃｅｓｓ−Ｌｏｎｇ Ｔｅｒｍ Ｅｖｏｌｕｔion )は、キャリアアグリゲーション構造に基づいて、免許スペクトル上のキャリアを一次キャリアとし、免許不要スペクトル上のキャリアが二次キャリアとして端末デバイスにサービスを提供する。新規ラジオ( ＮＲ、Ｎｅｗ Ｒａｄｉｏ )システムが免許不要スペクトルに適用される場合、免許補助アクセス( ＬＡＡ )ネットワーク構成をサポートするとともに、独立( ＳＡ、Ｓｔａｎｄａｌｏｎｅ )ネットワーク構成もサポートされるため、免許不要スペクトル上での物理上りリンク制御チャネル( ＰＵＣＣＨ、Ｐｈｙｓｉｃａｌ Ｕｐｌｉｎｋ Ｃｏｎｔｒｏｌ ＣＨａｎｎｅｌ )の伝送を考慮する必要がある。
【０００３】
ＮＲシステムにおいて、ＰＵＣＣＨは、表１に示すように、複数のフォーマットを含み、各フォーマットのＰＵＣＣＨは、複数のシンボル長を含む。
【表１】
2021516894.tif 000003
【０００４】
ネットワークデバイスは、１つの端末デバイスに対してＰＵＣＣＨフォーマット０、１、２、３、４のうちの１つ以上を構成することができる。ここで、１つのＰＵＣＣＨリソース（ｒｅｓｏｕｒｃｅ）の構成情報には、少なくとも該ＰＵＣＣＨの開始シンボルの位置と該ＰＵＣＣＨに含まれるシンボルの個数とが含まれる。具体的には、ＰＵＣＣＨフォーマット０および２に対して、対応するＰＵＣＣＨに含まれるシンボルの個数が１または２であり、ＰＵＣＣＨフォーマット１、３、４の場合、対応するＰＵＣＣＨに含まれるシンボルの個数は４〜１４のいずれかである。
【０００５】
端末デバイスは、上り信号を送信する前に、空きチャネル評価( ＣＣＡ、Ｃｌｅａｒ Ｃｈａｎｎｅｌ Ａｓｓｅｓｓｍｅｎｔ )によって免許不要スペクトル上のチャネルを検出する必要があり、チャネルが空っている場合にＰＵＣＣＨを送信でき、そうでない場合に送信できない。ＰＵＣＣＨで伝送される制御情報の優先度が高く、チャネル検出失敗によりＰＵＣＣＨが送信できない場合、リンク全体の遅延/性能に大きく影響する。
【発明の概要】
【０００６】
本発明の実施例は、上記課題を解決するために、免許不要スペクトル上のＰＵＣＣＨの送信確率を向上させるチャネル伝送方法、装置、並びにコンピュータ記憶媒体を提供する。
【０００７】
第１の態様は、チャネル伝送方法を提供し、
端末デバイスが第１の情報を受信し、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送することと、
前記端末デバイスがチャンネル検出結果に基づいて、前記第１の時間ユニットにおいて前記第１の上り制御チャネル及び／又は前記第２の上り制御チャネルを伝送することとを含む。
【０００８】
選択可能な実施形態において、前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する。
【０００９】
選択可能な実施形態において、前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行い、前記第１の伝送リソースの開始シンボルの前にチャネル検出が成功したと判断した場合、前記端末デバイスが前記第１の伝送リソースの開始シンボルから前記第１の上り制御チャネルを送信し、前記第１の伝送リソースの開始シンボルの前にチャネル検出が失敗したと判断した場合、前記端末デバイスが前記第１の上り制御チャネルを送信せず、
前記端末デバイスが前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信し、前記第２の伝送リソースの開始シンボルの前にチャネル検出が失敗したと判断した場合、前記端末デバイスが前記第２の上り制御チャネルを送信しないこととを含む。
【００１０】
選択可能な実施形態において、前記第２の伝送リソースの開始シンボルが前記第１の伝送リソースの開始シンボルよりも遅く、
前記第１の伝送リソースと前記第２の伝送リソースとは、時間領域において隣接し、重複されない。
【００１１】
選択可能な実施形態において、前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行うことと、
前記第１の伝送リソースの開始シンボルの前にチャネル検出が成功したと判断した場合、前記端末デバイスが前記第１の伝送リソースの開始シンボルから前記第１の上り制御チャネルを送信し、前記第１の上り制御チャネルの伝送が終了してから前記第２の上り制御チャネルを送信することと、
前記第１の伝送リソースの開始シンボルの前にチャネル検出が失敗したと判断した場合、前記端末デバイスが前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信することとを含む。
【００１２】
選択可能な実施形態において、前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される。
【００１３】
選択可能な実施形態において、前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行うことと、
前記第１の伝送リソースの開始シンボルの前にチャネル検出が成功したと判断した場合、前記端末デバイスが前記第１の伝送リソースの開始シンボルから前記第１の上り制御チャネルを送信し、前記第２の上り制御チャネルを送信せず、
前記第１の伝送リソースの開始シンボルの前にチャネル検出が失敗したと判断した場合、前記端末デバイスが前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信することとを含む。
【００１４】
選択可能な実施形態において、前記端末デバイスが前記第１の上り制御チャネル及び前記第２の上り制御チャネルにおいて同じ第１の上り制御情報を伝送する。
【００１５】
選択可能な実施形態において、前記端末デバイスが前記第１の上り制御チャネルにおいて第１の上り制御情報のうちの優先度の低い情報を伝送し、前記第２の上り制御チャネルにおいて第１の上り制御情報のうちの優先度の高い情報を伝送する。
【００１６】
選択可能な実施形態において、前記端末デバイスが前記第１の上り制御チャネルにおいてチャネル状態情報を伝送し、前記第２の上り制御チャネルにおいてハイブリッド自動再送情報又はスケジューリング要求情報を伝送する。
【００１７】
第２の態様は、チャネル伝送方法を提供し、
端末デバイスが第２の情報を受信し、前記第２の情報は、ネットワークデバイスが前記端末デバイスのために第１の時間ユニットで割り当てる第１の伝送リソースを示すために使用され、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅いことと、
前記端末デバイスがチャンネル検出結果に基づいて、前記第１の時間ユニットにおいて前記第１の開始シンボル又は前記第２の開始シンボルから前記第１の上り制御チャネルを伝送することとを含む。
【００１８】
選択可能な実施形態において、前記端末デバイスがチャンネル検出結果に基づいて、前記第１の時間ユニットにおいて前記第１の開始シンボル又は前記第２の開始シンボルから第１の上り制御チャネルを伝送することは、
前記端末デバイスが前記第１の開始シンボルの前にチャネル検出を行うことと、
前記第１の開始シンボルの前にチャネル検出が成功したと判断した場合、前記端末デバイスが前記第１の開始シンボルから前記第１の上り制御チャネルを送信することと、
前記第１の開始シンボルの前にチャネル検出が失敗したと判断した場合、前記端末デバイスが前記第２の開始シンボルの前にチャネル検出を行い、前記第２の開始シンボルの前に前チャネル検出が成功したと判断した場合、前記端末デバイスが前記第２の開始シンボルから前記第１の上り制御チャネルを送信し、前記第２の開始シンボルの前にチャネル検出が失敗したと判断した場合、前記端末デバイスが前記第１の上り制御チャネルを送信しないこととを含む。
【００１９】
選択可能な実施形態において、前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記端末デバイスが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる。
【００２０】
選択可能な実施形態において、前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記端末デバイスが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる。
【００２１】
選択可能な実施形態において、前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記端末デバイスが前記第２の開始シンボルから前記第１の上り制御チャネルを送信する時に、前記第１の上り制御チャネルに第２の伝送情報が搬送され、前記第２の伝送情報は、前記第１の上り制御情報の符号化後に前記第２の開始シンボルからレートマッチングを行うことにより得られる。
【００２２】
第３の態様は、チャネル伝送方法を提供し、
ネットワークデバイスが端末デバイスに第１の情報を送信し、前記第１の情報は、前記ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送することと、
前記ネットワークデバイスが前記第１の時間ユニットにおいて前記第１の上り制御チャネル及び／又は前記第２の上り制御チャネルを受信することとを含む。
【００２３】
選択可能な実施形態において、前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する。
【００２４】
選択可能な実施形態において、前記ネットワークデバイスが前記第１の時間ユニットにおいて前記第１の上り制御チャネル及び／又は前記第２の上り制御チャネルを受信することは、
前記ネットワークデバイスが前記第１の伝送リソースにおいて前記第１の上り制御チャネルを検出し、前記第２の伝送リソースにおいて前記第２の上り制御チャネルを検出することを含む。
【００２５】
選択可能な実施形態において、前記第２の伝送リソースの開始シンボルが前記第１の伝送リソースの開始シンボルよりも遅く、
前記第１の伝送リソースと前記第２の伝送リソースとは、時間領域において隣接し、重複されない。
【００２６】
選択可能な実施形態において、前記ネットワークデバイスが前記第１の時間ユニットにおいて前記第１の上り制御チャネル及び／又は前記第２の上り制御チャネルを受信することは、
前記ネットワークデバイスが前記第１の伝送リソースにおいて前記第１の上り制御チャネルを検出することと、
前記第１の伝送リソースにおいて前記第１の上り制御チャネルを検出したと判断した場合、前記ネットワークデバイスが前記第１の伝送リソースにおいて前記第１の上り制御チャネルを受信し、前記第２の伝送リソースにおいて前記第２の上り制御チャネルを受信することと、
前記第１の伝送リソースにおいて前記第１の上り制御チャネルを検出しなかったと判断した場合、前記ネットワークデバイスが前記第２の伝送リソースにおいて前記第２の上り制御チャネルを検出することとを含む。
【００２７】
選択可能な実施形態において、前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される。
【００２８】
選択可能な実施形態において、前記ネットワークデバイスが前記第１の時間ユニットにおいて前記第１の上り制御チャネル及び／又は前記第２の上り制御チャネルを受信することは、
前記ネットワークデバイスが前記第１の伝送リソースにおいて前記第１の上り制御チャネルを検出することと、
前記第１の伝送リソースにおいて前記第１の上り制御チャネルを検出したと判断した場合、前記ネットワークデバイスが前記第１の伝送リソースにおいて前記第１の上り制御チャネルを受信し、前記第２の伝送リソースにおいて前記第２の上り制御チャネルを検出せず、
前記第１の伝送リソースにおいて前記第１の上り制御チャネルを検出しなかったと判断した場合、前記ネットワークデバイスが前記第２の伝送リソースにおいて前記第２の上り制御チャネルを検出することとを含む。
【００２９】
選択可能な実施形態において、前記第１の情報は、さらに、前記端末デバイスが前記第１の上り制御チャネル及び前記第２の上り制御チャネルにおいて同じ第１の上り制御情報を伝送するように指示する。
【００３０】
選択可能な実施形態において、前記第１の情報は、さらに、前記端末デバイスが前記第１の上り制御チャネルにおいて第１の上り制御情報のうちの優先度の低い情報を伝送し、前記第２の上り制御チャネルにおいて第１の上り制御情報のうちの優先度の高い情報を伝送するように指示する。
【００３１】
選択可能な実施形態において、前記第１の情報は、さらに、前記端末デバイスが前記第１の上り制御チャネルにおいてチャネル状態情報を伝送し、前記第２の上り制御チャネルにおいてハイブリッド自動再送情報又はスケジューリング要求情報を伝送するように指示する。
【００３２】
第４の態様は、チャネル伝送方法を提供し、
ネットワークデバイスが端末デバイスに第２の情報を送信し、前記第２の情報は、前記ネットワークデバイスが前記端末デバイスのために前記第１の時間ユニットで割り当てる第１の伝送リソースを示すために用いられ、前記第１の伝送リソースが第１の上り制御チャネルを伝送し、前記第１の伝送リソースが少なくとも２つの開始シンボルを含み、前記少なくとも２つの開始シンボルが前記第１の開始シンボル及び前記第２の開始シンボルを含み、前記第２の開始シンボルが前記第１の開始シンボルよりも遅いことと、
前記ネットワークデバイスが前記第１の時間ユニットにおいて前記第１の開始シンボル又は前記第２の開始シンボルから前記第１の上り制御チャネルを受信することとを含む。
【００３３】
選択可能な実施形態において、前記ネットワークデバイスが前記第１の時間ユニットにおいて前記第１の開始シンボル又は前記第２の開始シンボルから前記第１の上り制御チャネルを受信することは、
前記ネットワークデバイスが前記第１の開始シンボルから前記第１の上り制御チャネルを検出することと、
前記第１の開始シンボルから前記第１の上り制御チャネルを検出したと判断した場合、前記ネットワークデバイスが前記第１の開始シンボルから前記第１の上り制御チャネルを受信することと、
前記第１の開始シンボルから前記第１の上り制御チャネルを検出しなかったと判断した場合、前記ネットワークデバイスが前記第２の開始シンボルから前記第１の上り制御チャネルを検出することとを含む。
【００３４】
選択可能な実施形態において、前記ネットワークデバイスが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記ネットワークデバイスが前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる。
【００３５】
選択可能な実施形態において、前記ネットワークデバイスが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記ネットワークデバイスが前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる。
【００３６】
選択可能な実施形態において、前記ネットワークデバイスが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記ネットワークデバイスが前記第２の開始シンボルから前記第１の上り制御チャネルを受信する時に、前記第１の上り制御チャネルに第２の伝送情報が搬送され、前記第２の伝送情報は、前記第１の上り制御情報の符号化後に前記第２の開始シンボルからレートマッチングを行うことにより得られる。
【００３７】
第５の態様は、上記の第１の態様もしくは第１の態様の可能な実装のいずれか、または第２の態様もしくは第２の態様の可能な実装のいずれかにおける方法を実行するためのチャネル伝送装置を提供する。具体的には、この装置は、上述の第１の態様もしくは第１の態様の任意の可能な実装、または第２の態様もしくは第２の態様の任意の可能な実装における方法を実行するためのユニットを含む。
【００３８】
第６の態様は、上記の第３の態様もしくは第３の態様の可能な実装のいずれか、または第４の態様もしくは第４の態様の可能な実装のいずれかにおける方法を実行するためのチャネル伝送装置を提供する。具体的には、この装置は、上述の第３の態様もしくは第３の態様の任意の可能な実装、または第４の態様もしくは第４の態様の任意の可能な実装における方法を実行するためのユニットを含む。
【００３９】
第７の態様は、メモリと、プロセッサと、入力インタフェースと、出力インタフェースとを備えるチャネル伝送装置を提供する。メモリ、プロセッサ、入力インタフェース、出力インタフェースは、バスシステムを介して接続される。メモリは、命令を記憶するために使用され、プロセッサは、メモリに記憶された命令を実行して、上述の第１の態様もしくは第１の態様の任意の可能な実装、または第２の態様もしくは第２の態様の任意の可能な実装における方法を実行するために使用される。
【００４０】
第８の態様は、メモリと、プロセッサと、入力インタフェースと、出力インタフェースとを備えるチャネル伝送装置を提供する。メモリ、プロセッサ、入力インタフェース、出力インタフェースは、バスシステムを介して接続される。メモリは、命令を記憶するために使用され、プロセッサは、メモリに記憶された命令を実行して、上述の第３の態様もしくは第３の態様の任意の可能な実装、または第４の態様もしくは第４の態様の任意の可能な実装における方法を実行するために使用される。
【００４１】
第９の態様は、上記の第１の態様もしくは第１の態様の任意の可能な実装、または第２の態様もしくは第２の態様の任意の可能な実装における方法を実行するためのコンピュータソフトウェア命令を記憶するためのコンピュータ記憶媒体を提供し、上記の態様を実行するように設計されたプログラムを含む。
【００４２】
第１０の態様は、上記の第３の態様もしくは第３の態様の任意の可能な実装、または第４の態様もしくは第４の態様の任意の可能な実装における方法を実行するためのコンピュータソフトウェア命令を記憶するためのコンピュータ記憶媒体を提供し、上記の態様を実行するように設計されたプログラムを含む。
【００４３】
第１１の態様は、命令を備えるコンピュータプログラム製品を提供し、コンピュータ上で実行されると、コンピュータに、上述の第１の態様もしくは第１の態様の任意の代替的な実装、または第２の態様もしくは第２の態様の任意の可能な実装における方法を実行させる。
【００４４】
第１２の態様は、命令を備えるコンピュータプログラム製品を提供し、コンピュータ上で実行されると、コンピュータに、上述の第３の態様もしくは第３の態様の任意の代替的な実装、または第４の態様もしくは第４の態様の任意の可能な実装における方法を実行させる。
【００４５】
本発明の実施例に係る技術案において、１）端末デバイスが第１の情報を受信し、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送し、前記端末デバイスがチャンネル検出結果に基づいて、前記第１の時間ユニットにおいて前記第１の上り制御チャネル及び／又は前記第２の上り制御チャネルを伝送する。２）端末デバイスが第２の情報を受信し、前記第２の情報は、ネットワークデバイスが前記端末デバイスのために第１の時間ユニットで割り当てる第１の伝送リソースを示すために使用され、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅く、前記端末デバイスがチャンネル検出結果に基づいて、前記第１の時間ユニットにおいて前記第１の開始シンボル又は前記第２の開始シンボルから前記第１の上り制御チャネルを伝送する。本発明の実施例に係る技術案を利用して、免許不要キャリアに上り制御情報をフィードバックする場合、上り制御情報を伝送するためのＰＵＣＣＨが存在する時間ユニットで、端末デバイスに少なくとも２つのＰＵＣＣＨリソース（例えば、第１のＰＵＣＣＨリソースと第２のＰＵＣＣＨリソース）を割り当てることにより、この端末デバイスは、時間ユニットでの第１のＰＵＣＣＨリソースの伝送に失敗した場合に、第２のＰＵＣＣＨリソース上で一定の確率で伝送され、又は、上り制御情報を伝送するためのＰＵＣＣＨが存在する時間ユニットで、端末デバイスにＰＵＣＣＨリソースを割り当て、且つＰＵＣＣＨリソース上に少なくとも２つの開始シンボル(例えば、第１の開始シンボルおよび第２の開始シンボル)を構成することによって、端末デバイスは、この時間ユニットでの第１の開始シンボルで伝送が失敗した場合に第２の開始シンボルで伝送する確率を有することができ、端末デバイスが上り制御情報を送信する機会を増やし、通信リンクの遅延や性能を保証することができる。
【図面の簡単な説明】
【００４６】
本明細書に記載された図面は、本発明の更なる理解を提供するために提供されたものであり、本願の一部を構成し、本発明の例示的な実施形態及びその説明は、本発明を説明するためのものであり、本発明を限定するものではない
【図１】本発明の実施例におけるチャネル伝送方法のフローチャート一である。
【図２】本発明の実施例における第１のＰＵＣＣＨリソース及び第２のＰＵＣＣＨリソースの模式図である。
【図３】本発明の実施例におけるチャネル伝送方法のフローチャート二である。
【図４】本発明の実施例における第１のＰＵＣＣＨリソースにおける第１の開始シンボル及び第２の開始シンボルの位置の模式図である
【図５】本発明の実施例における第１の伝送情報及び第２の伝送情報の模式図である。
【図６】本発明の実施例におけるチャネル伝送方法のフローチャート三である。
【図７】本発明の実施例におけるチャネル伝送方法のフローチャート四である。
【図８】本発明の実施例におけるチャネル伝送装置の構成図一である。
【図９】本発明の実施例におけるチャネル伝送装置の構成図二である。
【図１０】本発明の実施例におけるチャネル伝送装置の構成図三である。
【図１１】本発明の実施例におけるチャネル伝送装置の構成図四である。
【図１２】本発明の実施例におけるコンピュータデバイスのの構成図である。
【発明を実施するための形態】
【００４７】
以下、本発明の実施例に係る技術的解決手段の理解を容易にするために、本発明の実施例に係る技術的解決手段を説明する。
【００４８】
１）免許不要スペクトル
免許不要スペクトルは、国及び地域によって区分された、無線装置の通信に利用可能なスペクトルであり、通常、共有スペクトルと見なされ、すなわち、異なる通信システムにおける通信装置は、そのスペクトルに設定された国又は地域の法的要件を満たす限り、政府に専用のスペクトル免許を申請することなく、そのスペクトルを使用することができる。免許不要スペクトルを用いて無線通信を行う各通信システムが、そのスペクトル上で容易に共存できるようにするために、免許不要スペクトルを用いることが満たさなければならない法規要件が国や地域によって規定されている。例えば、欧州地域では、通信装置は、ＬＢＴ （Ｌｉｓｔｅｎ Ｂｅｆｏｒｅ Ｔａｌｋ )の原則に従い、即ち、通信装置が免許不要スペクトルのチャネル上で信号送信を行う前に、チャネルリッスンを行う必要があり、チャネルセンスの結果、チャネルが空っている場合にのみ、信号送信を行うことができ、通信装置は、免許不要周波数帯域のチャネルにおけるチャネルセンスの結果、チャネルがビジーである場合には、信号送信を行うことができない。１回の伝送で免許不要スペクトルのチャネルを使用して信号伝送を行う期間は、公平性を確保するために最大チャネル占有時間( ＭＣＯＴ、Ｍａｘｉｍｕｍ Ｃｈａｎｎｅｌ Ｏｃｃｕｐａｔｉｏｎ Ｔｉｍｅ )を超えることがない。また、例えば、免許不要スペクトルチャネル上で伝送される信号に対するサブバンド干渉を回避するため、また、免許不要スペクトルチャネルの検出における通信デバイスの検出精度を高めるために、免許不要スペクトルチャネル上で伝送される信号は、少なくともチャネル帯域幅の一定の割合を占める必要があり、例えば、５ＧＨｚ帯は、チャネル帯域幅を占める信号の８０％であり、６０ＧＨｚ帯は、チャネル帯域幅を占める信号の７０％である。また、例えば、免許不要スペクトルのチャネル上で伝送される信号の電力が大きすぎて、そのチャネル上の他の重要な信号、例えばレーダ信号などの送信に影響を与えることを避けるために、法規は、通信デバイスが免許不要スペクトルのチャネルを使用して信号を伝送するときの最大電力スペクトル密度を規定する。
【００４９】
２）ネットワークアーキテクチャ
本発明の実施形態は、ＧＳＭ （ Ｇｌｏｂａｌ Ｓｙｓｔｅｍ ｏｆ Ｍｏｂｉｌｅ ｃｏｍｍｕｎｉｃａｔｉｏｎ )システム、ＣＤＭＡシステム、ＷＣＤＭＡシステム、ＧＰＲＳ （ Ｇｅｎｅｒａｌ Ｐａｃｋｅｔ Ｒａｄｉｏ Ｓｅｒvice )システム、ＵＭＴＳ （ Ｕｎｉｖｅｒｓａｌ Ｍｏｂｉｌｅ Ｔｅｌｅｃｏｍｍｕｎｉｃａｔｉｏｎ Ｓｙｓｔｅｍ ）、ＬＴＥシステム、及びＬＴＥシステムのエボリューションシステム、例えばＬＴＥ−Ａ（ Ａｄｖａｎｃｅｄ ｌｏｎｇ ｔｅｒｍ ｅｖｏｌｕｔｉｏｎ )システム、ＮＲシステム、およびＮＲシステムのエボリューションシステム、例えば免許不要スペクトル上のＮＲ ( ＮＲ−Ｕ、ＮＲ−ｂａｓｅｄ ａｃｃｅｓｓ ｔｏ Ｕｎｌｉｃｅｎｓｅｄ ｓｐｅｃｔｒｕｍ )システム、または次世代通信システムなどの様々な通信システムに適用され得る。
【００５０】
通常、従来の通信システムがサポートする接続数は限られており、実現も容易であるが、通信技術の発展に伴い、モバイル通信システムは、従来の通信だけでなく、例えば、デバイスツーデバイス( Ｄ２Ｄ、Ｄｅｖｉｃｅ ｔｏ Ｄｅｖｉｃｅ )通信、マシンツーマシン( Ｍ２Ｍ、Ｍａｃｈｉｎｅ ｔｏ Ｍａｃｈｉｎｅ )通信、マシンタイプ通信( ＭＴＣ、Ｍａｃｈｉｎｅ Ｔｙｐｅ Ｃｏｍｍｕｎｉｃａｔｉｏｎ )、及び車両間通信( Ｖ２Ｖ、Ｖｅｈｉｃｌｅ ｔｏ Ｖｅｈｉｃｌｅ )もサポートする。
【００５１】
本発明の実施例に係る通信システムは、キャリアアグリゲーション( ＣＡ、Ｃａｒｒｉｅｒ Ａｇｇｒｅｇａｔｉｏｎ )シナリオに適用されてもよく、デュアルコネクティビティ( ＤＣ、Ｄｕａｌ Ｃｏｎｎｅｃｔｉｖｉｔｙ )シナリオに適用されてもよく、スタンドアロン( ＳＡ、Ｓｔａｎｄａｌｏｎｅ )ネットワーキングシナリオに適用されてもよい。
【００５２】
本発明は、ネットワークデバイス及び端末デバイスに関連して様々な実施形態を説明し、ここで、
端末デバイスは、ユーザ機器( ＵＥ、Ｕｓｅｒ Ｅｑｕｉｐｍｅｎｔ )、アクセス端末、ユーザ機器、ユーザ局、移動局、リモート端末、モバイル機器、ユーザ端末、無線通信機器、ユーザエージェント、またはユーザ装置とも呼ばれ得る。端末デバイスは、無線ローカルエリアネットワーク( ＷＬＡＮ、Ｗｉｒｅｌｅｓｓ Ｌｏｃａｌ Ａｒｅａ Ｎｅｔｗｏｒｋｓ )内のサイト（ ＳＴ、ＳＴＡＩＯＮ )であってもよく、セルラー電話、コードレス電話、セッション開始プロトコル( ＳＩＰ、Ｓｅｓｓｉｏｎ Ｉｎｉｔｉａｔｉｏｎ Ｐｒｏｔｏｃｏｌ )電話、無線ローカルループ( ＷＬＬ、Ｗｉｒｅｌｅｓｓ Ｌｏｃａｌ Ｌｏｏｐ )局、パーソナル・デジタル処理( ＰＤＡ、Ｐｅｒｓｏｎａｌ Ｄｉｇｉｔａｌ Ａｓｓｉｓｔａｎｔ )装置、無線通信機能を有するハンドヘルド装置、コンピューティング装置、または無線モデムに接続された他の処理装置、車載装置、ウェアラブル装置、および次世代通信システム、例えば、第５世代通信( ５Ｇ、ｆｉｆｔｈ ｇｅｎｅｒａｔｉｏｎ )ネットワーク内の端末デバイス、または将来進化するパブリック地上波モバイル・ネットワーク( ＰＬＭＮ、Ｐｕｂｌｉｃ Ｌａｎｄ Ｍｏｂｉｌｅ Ｎｅｔｗｏｒｋ )ネットワーク内の端末デバイスなどであってもよい。
【００５３】
限定ではなく例として、本発明の実施形態において、該端末デバイスはウェアラブル装置であってもよい。ウェアラブルデバイスは、ウェアラブルスマートデバイスとも呼ばれ、眼鏡、手袋、腕時計、衣類、及び靴などのウェアラブル技術を応用して日常の着用を知的に設計し、ウェアラブルなデバイスを開発する総称である。ウェアラブルデバイスは、直接身に着けるか、またはユーザの衣服またはアクセサリに一体化されたポータブルデバイスである。ウェアラブルデバイスは、ハードウェアデバイスの一種だけではなく、ソフトウェアサポートとデータ相互作用、クラウド相互作用によって、より強力な機能を実現する。広義のウェアラブルスマートデバイスは、スマートウォッチやスマートグラスなどの機能の全部または一部をスマートフォンに依存せずに実現することができる、大きく、かつ、スマートフォンに依存せずに実現することができる機能、および、例えば、様々な種類の身体監視のためにスマートフォンなどの他のデバイスとの協働を必要とする、ある種のアプリケーション機能にのみ焦点を当てるスマートリング、スマートアクセサリなどを含む。
【００５４】
ネットワークデバイスは、モバイルデバイスと通信するためのデバイスであってもよく、ネットワークデバイスは、ＷＬＡＮにおけるアクセスポイント( ＡＰ、Ａｃｃｅｓｓ Ｐｏｉｎｔ )、ＧＳＭ又はＣＤＭＡにおける基地局（ ＢＴＳ、Ｂａｓｅ Ｔｒａｎｓｃｅｉｖｅｒ Ｓｔａｔｉｏｎ )、ＷＣＤＭＡにおける基地局（ ＮＢ、ＮｏｄｅＢ ）であってもよく、ＬＴＥにおける発展型基地局（ ｅＮＢまたはｅＮｏｄｅＢ、Ｅｖｏｌｕｔｉｏｎａｌ Ｎｏｄｅ Ｂ )、中継局またはアクセスポイント、または車載デバイス、ウェアラブルデバイス、およびＮＲネットワークにおけるネットワークデバイス、または将来発展するＰＬＭＮネットワークにおけるネットワークデバイスなどであってもよい。
【００５５】
本発明の実施例において、ネットワークデバイスは、端末デバイスが使用する送信リソース(例えば、周波数領域リソース、又は、スペクトルリソース)によりネットワークデバイスと通信するセルを提供し、該セルは、ネットワークデバイス(例えば、基地局)に対応するセルであってよく、セルは、マクロ基地局に属してよく、又は、スモールセル( ｓｍａｌｌ ｃｅｌｌ )に対応する基地局に属してよく、ここで、スモールセルは、カバレッジが小さく、送信電力が低いという特徴を有する、高レートのデータ伝送サービスを提供するのに適した、都市セル( Ｍｅｔｒｏ ｃｅｌｌ )、マイクロセル( Ｍｉｃｒｏ ｃｅｌｌ )、ピコセル( Ｐｉｃｏ ｃｅｌｌ )、フェムトセル( Ｆｅｍｔｏ ｃｅｌｌ )等を含んでよい。
【００５６】
本発明の実施例において、ＬＴＥシステム又はＮＲシステムにおけるキャリア上で複数のセルが同時に同周波で動作してもよく、特定のシナリオでは、上記キャリアはセルの概念と等価であると考えられてもよい。例えば、ＣＡシナリオでは、二次キャリアがＵＥのために構成されるとき、二次キャリアのキャリアインデックスと二次キャリア上で動作する二次セルのセル識別情報( Ｃｅｌｌ ＩＤ、Ｃｅｌｌ Ｉｎｄｅｎｔｉｆｙ )とを同時に搬送することができ、この場合、キャリアは、UEが１つのキャリアにアクセスすること及び１つのセルにアクセスすることなど、セルの概念と等価であると考えられ得る。
【００５７】
なお、本発明の実施例による物理上り制御チャネル( ＰＵＣＣＨ、Ｐｈｙｓｉｃａｌ Ｕｐｌｉｎｋ Ｃｏｎｔｒｏｌ ＣＨａｎｎｅｌ )は、ＬＴＥシステムにおけるＰＵＣＣＨであってもよいし、ＮＲシステムにおけるＰＵＣＣＨであってもよいし、他のシステムにおける上り制御チャネルであってもよいし、本発明はこれに限定されない。
【００５８】
なお、ＰＵＣＣＨは、上り制御情報を送信するために使用され得る。本発明の実施例において、上り制御情報は、ハイブリッド自動再送( ＨＡＲＱ、Ｈｙｂｒｉｄ Ａｕｔｏｍａｔｉｃ Ｒｅｐｅａｔ ｒｅＱｕｅｓｔ )情報、チャネル状態情報( ＣＳＩ、Ｃｈａｎｎｅｌ−Ｓｔａｔｅ Ｉｎｆｏｒｍａｔｉｏｎ )、スケジューリング要求( ＳＲ、Ｓｃｈｅｄｕｌｅ Ｒｅｑｕｅｓｔ )情報及びＵＥが送信する他の制御情報のうち少なくとも１つを含んでもよい。ここで、ＣＳＩ情報は、ランク指示( ＲＩ、Ｒａｎｋ Ｉｎｄｉｃａｔｏｒ )情報、プリコーディング指示( ＰＭＩ、Ｐｒｅｃｏｄｉｎｇ Ｍａｔｒｉｘ Ｉｎｄｉｃａｔｏｒ )情報、チャネル品質指示（ ＣＱＩ、Ｃｈａｎｎｅｌ Ｑｕａｌｉｔｙ Ｉｎｄｉｃａｔｏｒ )情報のうち少なくとも１つを含む。
【００５９】
なお、１つの時間ユニットは、１つまたは複数のサブフレームとして、１つまたは複数のスロットとして、１つまたは複数のマイクロスロットまたはシンボルなどとして定義され得る
本発明の実施形態において、ネットワークデバイス及び端末デバイスが無線通信(例えば、上り制御チャネル送信)に使用する周波数領域リソースは、競合メカニズムに基づいて使用される周波数領域リソースである。
【００６０】
例えば、ネットワークデバイス及び/又は端末デバイスは、ある帯域幅(例えば、２０ＭＨｚ )を有する周波数領域リソースが現在アイドル状態であるか否か、又は、その周波数領域リソースが他の装置によって使用されているか否かを検出することができる。
【００６１】
この周波数領域リソースがアイドル状態である場合、又は、周波数領域リソースが他の装置によって使用されていない場合、チャネル検出が成功したと考えられ、ネットワークデバイス及び/又は端末デバイスは、この周波数領域リソースを使用して、例えば、上りリンク又は下りリンク伝送などの通信を行うことができる。
【００６２】
この周波数領域リソースがアイドル状態でない場合、すなわち、この周波数領域リソースが既に他の装置によって使用されている場合、チャネル検出が失敗し、ネットワークデバイス及び/又は端末デバイスは、周波数領域リソースを使用できないと考えられる。
【００６３】
なお、本願の実施例において、上記チャネル検出の具体的な方法及び手順は、従来技術と同様でよく、ここでは、詳しい説明を省略する。
【００６４】
ＮＲ−Ｕシステムでは、ＰＵＣＣＨの伝送機会を増加させる必要があり、本発明の実施例に係る技術案によれば、ネットワークデバイスは、免許不要キャリア上のＰＵＣＣＨ送信のための時間ユニットで、端末デバイスのために少なくとも２回のＰＵＣＣＨの送信機会を構成することによって、優先度の高いＰＵＣＣＨの伝送を保証し、さらに、通信リンク全体の遅延と性能を保証する。
【００６５】
図１は本発明の実施例におけるチャネル伝送方法のフローチャート一であり、本発明の実施例において、図１に示すように、前記チャネル伝送方法は、以下のステップを含む。
【００６６】
ステップ１０１において、端末デバイスが第１の情報を受信し、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送する。
【００６７】
本発明の実施例において、前記端末デバイスは、以下の方式で、第１の情報を取得する
方式一：前記端末デバイスは、基地局からのシステム、又は無線リソース制御（ＲＲＣ、Ｒａｄｉｏ Ｒｅｓｏｕｒｃｅ Ｃｏｎｔｒｏｌ）シグナリング、又は下り制御情報（ＤＣＩ、Ｄｏｗｎｌｉｎｋ Ｃｏｎｔｒｏｌ Ｉｎｆｏｒｍａｔｉｏｎ）等を介して、前記第１の情報を取得する。
【００６８】
方式二：前記端末デバイスは、プロトコル規定によって、前記第１の情報を取得する。
【００６９】
方式三：前記端末デバイスは、予め設定された構成情報に基づいて、前記第１の情報を取得する。
【００７０】
本発明の実施例において、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース（例えば、第１のＰＵＣＣＨリソース）及び第２の伝送リソース（例えば、第２のＰＵＣＣＨリソース）を含み、前記第１の伝送リソースが第１の上り制御チャネルを伝送し（例えば、第１のＰＵＣＣＨ）、前記第２の伝送リソースが第２の上り制御チャネル（例えば、第２のＰＵＣＣＨ）を伝送する。
【００７１】
任意選択で、前記第１の時間ユニットは、免許不要キャリア上のある時間領域リソースである。
【００７２】
例えば、前記第２の伝送リソースの開始シンボルが前記第１の伝送リソースの開始シンボルよりも遅く、本発明の実施例において、前記第１の伝送リソース（例えば、第１のＰＵＣＣＨリソース）と第２の伝送リソース（例えば、第２のＰＵＣＣＨリソース）との位置関係は、以下のケースを含む。
【００７３】
ケース一：前記第１の伝送リソース（例えば、第１のＰＵＣＣＨリソース）と前記第２の伝送リソース（例えば、第２のＰＵＣＣＨリソース）とは、時間領域において少なくとも１つのシンボルの間隔を有する。
【００７４】
ケース二：前記第１の伝送リソース（例えば、第１のＰＵＣＣＨリソース）と前記第２の伝送リソース（例えば、第２のＰＵＣＣＨリソース）とは、時間領域において隣接し、重複されない。
【００７５】
ケース三：前記第１の伝送リソース（例えば、第１のＰＵＣＣＨリソース）と前記第２の伝送リソース（例えば、第２のＰＵＣＣＨリソース）とは、時間領域において少なくとも１つのシンボルが重複される。
【００７６】
ステップ１０２において、前記端末デバイスがチャンネル検出結果に基づいて、前記第１の時間ユニットにおいて前記第１の上り制御チャネル及び／又は前記第２の上り制御チャネルを伝送する。
【００７７】
本発明の実施例において、前記端末デバイスがチャンネル検出結果に基づいて、前記第１の時間ユニットにおいて前記第１の上り制御チャネル及び／又は前記第２の上り制御チャネルを伝送することは、以下のケースを含む。
【００７８】
１）ケース一として、前記端末デバイスが前記第１の伝送リソースの開始シンボルの前にチャネル検出を行い、前記第１の伝送リソースの開始シンボルの前にチャネル検出が成功したと判断した場合、前記端末デバイスが前記第１の伝送リソースの開始シンボルから前記第１の上り制御チャネルを送信し、前記第１の伝送リソースの開始シンボルの前にチャネル検出が失敗したと判断した場合、前記端末デバイスが前記第１の上り制御チャネルを送信せず、前記端末デバイスが前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信し、前記第２の伝送リソースの開始シンボルの前にチャネル検出が失敗したと判断した場合、前記端末デバイスが前記第２の上り制御チャネルを送信しない。
【００７９】
任意選択で、ケース一では、第１の伝送リソースの開始シンボルの前にと第２の伝送リソースの開始シンボルの前に、特定の時間領域リソースが予約され、信号伝送に使用されず、この予約された時間領域リソースが端末デバイスによるチャネル検出に使用され得る。
【００８０】
２）ケース二として、前記端末デバイスが前記第１の伝送リソースの開始シンボルの前にチャネル検出を行い、前記第１の伝送リソースの開始シンボルの前にチャネル検出が成功したと判断した場合、前記端末デバイスが前記第１の伝送リソースの開始シンボルから前記第１の上り制御チャネルを送信し、前記第１の上り制御チャネルの伝送が終了してから前記第２の上り制御チャネルを送信し、前記第１の伝送リソースの開始シンボルの前にチャネル検出が失敗したと判断した場合、前記端末デバイスが前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信する。
【００８１】
なお、ケース２では、第１の伝送リソースと第２の伝送リソースとが時間領域上で隣接しており、重複していないため、端末デバイスは、第１の伝送リソースの開始前にチャネルが使用可能であることを検出した場合には、第２の伝送リソースの開始前にチャネルを検出する必要がなく、第２の伝送リソースを使用することができる。
【００８２】
３）ケース三として、前記端末デバイスが前記第１の伝送リソースの開始シンボルの前にチャネル検出を行い、前記第１の伝送リソースの開始シンボルの前にチャネル検出が成功したと判断した場合、前記端末デバイスが前記第１の伝送リソースの開始シンボルから前記第１の上り制御チャネルを送信し、前記第２の上り制御チャネルを送信せず、前記第１の伝送リソースの開始シンボルの前にチャネル検出が失敗したと判断した場合、前記端末デバイスが前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信する。
【００８３】
なお、ケース三では、第１の伝送リソースと第２の伝送リソースとが時間領域において重複されるため、端末デバイスは、第１の伝送リソースの開始の前にチャネル可能であることを検出した場合、第２の伝送リソースを使用しなくてもよい。
【００８４】
任意選択で、前記端末デバイスが前記第１の上り制御チャネル（例えば、第１のＰＵＣＣＨリソース）及び前記第２の上り制御チャネル（例えば、第２のＰＵＣＣＨリソース）において同じ第１の上り制御情報を伝送する。
【００８５】
任意選択で、前記端末デバイスが前記第１の上り制御チャネルにおいて第１の上り制御情報のうちの優先度の低い情報を伝送し、前記第２の上り制御チャネルにおいて第１の上り制御情報のうちの優先度の高い情報を伝送する。例えば、端末デバイスは、第１のＰＵＣＣＨリソースにおいて第１の上り制御情報のうちの優先度の低い部分（例えば、チャネル状態情報（ＣＳＩ、Ｃｈａｎｎｅｌ Ｓｔａｔｅ Ｉｎｆｏｒｍａｔｉｏｎ））を伝送し、第２のＰＵＣＣＨリソースにおいて第１の上り制御情報のうちの優先度の高い部分（例如、ハイブリッド自動再送要求（ＨＡＲＱ、Ｈｙｂｒｉｄ Ａｕｔｏｍａｔｉｃ Ｒｅｐｅａｔ ｒｅＱｕｅｓｔ）情報又はスケジューリング要求（ＳＲ、Ｓｃｈｅｄｕｌｉｎｇ Ｒｅｑｕｅｓｔ）情報）を伝送する。ここで、ＣＳＩフィードバック情報は、チャネル品質指示（ＣＱＩ、Ｃｈａｎｎｅｌ Ｑｕａｌｉｔｙ Ｉｎｄｉｃａｔｏｒ）情報、プリコーディングマトリクス指示（ＰＭＩ、Ｐｒｅｃｏｄｉｎｇ Ｍａｔｒｉｘ Ｉｎｄｉｃａｔｏｒ）情報、ランク指示（ＲＩ、Ｒａｎｋ Ｉｎｄｉｃａｔｉｏｎ）情報のうちの少なくとも１つを含む。
【００８６】
図２を参照すると、第１の伝送リソースが第１のＰＵＣＣＨリソースであり、第２の伝送リソースが第２のＰＵＣＣＨリソースであり、第１の開始点が第１のＰＵＣＣＨリソースの開始シンボルであり、第２の開始点が第２のＰＵＣＣＨリソースの開始シンボルである。
【００８７】
図２（ａ）がケース一に対応し、即ち、第１のＰＵＣＣＨリソースと第２のＰＵＣＣＨリソースとは、時間領域において少なくとも１つのシンボルの間隔を有する。
【００８８】
このケースでは、端末デバイスが第１のＰＵＣＣＨリソース及び第２のＰＵＣＣＨリソースの前にチャネル検出をそれぞれ行い、第１の開始点の前にチャネル検出が成功した場合、この端末デバイスが第１の開始点から第１のＰＵＣＣＨを送信し、第１の開始点の前にチャネル検出が失敗した場合、この端末デバイスが第１のＰＵＣＣＨを送信しない。従って、第２の開始点の前にチャネル検出が成功した場合、この端末デバイスが第２の開始点から第２のＰＵＣＣＨを送信し、第２の開始点の前にチャネル検出が失敗した場合、この端末デバイスが第２のＰＵＣＣＨを送信しない。即ち、第１のＰＵＣＣＨリソースと第２のＰＵＣＣＨリソースが送信するかどうかは、独立したものであり、端末デバイスが１つの時間ユニットに２回のＰＵＣＣＨの送信機会がある。
【００８９】
任意選択で、端末デバイスは、第２の開始点の前にチャネル検出に優先度の高いチャネル検出方式、例えば、１回のチャネルリッスンを用い、そのチャネルリッスンが空っている場合に第２のＰＵＣＣＨを送信するようにしてもよい
任意選択で、端末デバイスは、第１のＰＵＣＣＨリソース及び第２のＰＵＣＣＨリソースにおいて同じ上り制御情報を伝送する。
【００９０】
任意選択で、端末デバイスは、第１のＰＵＣＣＨリソースにおいて優先度の高い上り制御情報を伝送し、第２のＰＵＣＣＨリソースにおいて優先度の低い上り制御情報を伝送する。任意選択で、端末デバイスが第１のＰＵＣＣＨリソースの前にチャネル検出が失敗した場合、端末デバイスが第２のＰＵＣＣＨリソースの前にチャネル検出が成功した後、第２のＰＵＣＣＨリソースにおいて優先度の高い上り制御情報を伝送し、優先度の低い上り制御情報を伝送しない。
【００９１】
任意選択で、端末デバイスは、第１のＰＵＣＣＨリソースにおいてＨＡＲＱフィードバック情報又はＳＲ情報を伝送し、第２のＰＵＣＣＨリソースにおいてＣＳＩ情報を伝送する。任意選択で、端末デバイスが第１のＰＵＣＣＨリソースの前にチャネル検出が失敗した場合、端末デバイスが第２のＰＵＣＣＨリソースの前にチャネル検出が成功した後、第２のＰＵＣＣＨリソースにおいてこのＨＡＲＱフィードバック情報又はＳＲ情報を伝送し、ＣＳＩ情報を伝送しない。
【００９２】
任意選択で、端末デバイスは、第１のＰＵＣＣＨリソース及び第２のＰＵＣＣＨリソースにおいて異なる上り制御情報を伝送する。ここで、端末デバイスが第１のＰＵＣＣＨリソースの前にチャネル検出が失敗した場合、端末デバイスが第２のＰＵＣＣＨリソースの前にチャネル検出が成功した後、第２のＰＵＣＣＨリソースにおいて、従来に第１のＰＵＣＣＨリソースにおいて伝送すべき上り制御情報を伝送する。
【００９３】
なお、以上のように、優先度の高い上り制御情報（例えば、ＨＡＲＱ情報やＳＲ情報等）の伝送機会を多く確保することができ、通信リンクの遅延や性能の確保に有利となる。
【００９４】
図２（ｂ）がケース二に対応し、即ち、第１のＰＵＣＣＨリソースと第２のＰＵＣＣＨリソースとは、隣接するが、重複されない。
【００９５】
このケースでは、端末デバイスは、第１のＰＵＣＣＨリソースの前にチャネル検出を行い、第１の開始点の前にチャネル検出が成功した場合、該端末デバイスが第１の開始点から第１のＰＵＣＣＨを送信し、さらに、第１のＰＵＣＣＨ伝送が終了した後に第２のＰＵＣＣＨを伝送し、第１の開始点の前にチャネル検出が失敗した場合、該端末デバイスが第１のＰＵＣＣＨを送信せず、第２の開始点の前にチャネル検出を行い、チャネル検出が成功した場合、該端末デバイスが第２の開始点から第２のＰＵＣＣＨを送信する。
【００９６】
なお、該ケースでは、端末デバイスが第１の開始点の前にチャネル検出が成功した場合、第１のＰＵＣＣＨ及び第２のＰＵＣＣＨを送信すればよい。
【００９７】
任意選択で、端末デバイスが第２の開始点の前にチャネル検出方式が優先度の高いチャネル検出方式であり、例えば、１回のチャネルリッスンを使用し、今回のチャネルリッスンが空いてる場合、端末デバイスが第２のＰＵＣＣＨを送信すればよい。
【００９８】
任意選択で、端末デバイスは、第１のＰＵＣＣＨリソース及び第２のＰＵＣＣＨリソースにおいて、同じ上り制御情報を伝送する。
【００９９】
任意選択で、端末デバイスは、第１のＰＵＣＣＨリソースにおいて優先度の低い上り制御情報を伝送し、第２のＰＵＣＣＨリソースにおいて優先度の高い上り制御情報を伝送する。
【０１００】
任意選択で、端末デバイスは、第１のＰＵＣＣＨリソースにおいてＣＳＩ情報を伝送し、第２のＰＵＣＣＨリソースにおいてＨＡＲＱフィードバック情報又はＳＲ情報を伝送する。
【０１０１】
任意選択で、端末デバイスは、第１のＰＵＣＣＨリソース及び第２のＰＵＣＣＨリソースにおいて、異なる上り制御情報を伝送する。ここで、端末デバイスが第１のＰＵＣＣＨリソースの前にチャネル検出が失敗した場合、端末デバイスが第２のＰＵＣＣＨリソースの前にチャネル検出が成功した後、第２のＰＵＣＣＨリソースにおいて、従来に第１のＰＵＣＣＨリソースにおいて伝送すべき上り制御情報を伝送する。
【０１０２】
なお、以上のように、第２のＰＵＣＣＨリソースが端末デバイスにより使用される確率が第１のＰＵＣＣＨリソースよりも高く、優先度の高い上り制御情報（例えばＨＡＲＱ情報又はＳＲ情報等）を第２のＰＵＣＣＨリソースで伝送することで、通信リンクの遅延や性能を保証することができる。
【０１０３】
図２（ｃ）がケース三に対応し、即ち、第１のＰＵＣＣＨリソースと第２のＰＵＣＣＨリソースとは、時間領域において少なくとも１つのシンボルが重複される。
【０１０４】
このケースでは、端末デバイスが第１のＰＵＣＣＨリソースの前にチャネル検出を行い、第１の開始点の前にチャネル検出が成功した場合、該端末デバイスが第１の開始点から第１のＰＵＣＣＨを送信し、さらに、第２のＰＵＣＣＨを送信せず、第１の開始点の前にチャネル検出が失敗した場合、該端末デバイスが第１のＰＵＣＣＨを送信せず、第２の開始点の前にチャネル検出を行い、チャネル検出が成功した場合、該端末デバイスが第２の開始点から第２のＰＵＣＣＨを送信する。
【０１０５】
任意選択で、端末デバイスが第２の開始点の前にチャネル検出が優先度の高いチャネル検出方式を使用し、例えば、１回のチャネルリッスンを使用し、今回のチャネルリッスンが空いている場合、端末デバイスが第２のＰＵＣＣＨを送信すればよい。
【０１０６】
任意選択で、該ケースでは、端末デバイスが第１の時間ユニットにおいて第１のＰＵＣＣＨを送信し、又は、端末デバイスが第１の時間ユニットにおいて第２のＰＵＣＣＨを送信し、又は、端末デバイスが第１の時間ユニットにおいて任意のＰＵＣＣＨを送信しなくても良い。
【０１０７】
任意選択で、端末デバイスが第１のＰＵＣＣＨリソース又は第２のＰＵＣＣＨリソースにおいて同じ上り制御情報を伝送する。任意選択で、前記上り制御情報が優先度の高い上り制御情報である。任意選択で、前記上り制御情報は、ＨＡＲＱフィードバック情報及びＳＲ情報のいずれかを含む。
【０１０８】
任意選択で、端末デバイスが第１のＰＵＣＣＨリソースにおいて第１の上り制御情報を伝送する。任意選択で、端末デバイスが第１のＰＵＣＣＨリソースに前にチャネル検出が失敗した場合、端末デバイスが第２のＰＵＣＣＨリソースの前にチャネル検出が成功した後、第２のＰＵＣＣＨリソースにおいて第１の上り制御情報を伝送する。
【０１０９】
任意選択で、端末デバイスは、第１のＰＵＣＣＨリソースにおいてＨＡＲＱフィードバック情報又はＳＲ情報を伝送し、第２のＰＵＣＣＨリソースにおいてＣＳＩ情報を伝送する。任意選択で、端末デバイスが第１のＰＵＣＣＨリソースの前にチャネル検出が失敗した場合、端末デバイスが第２のＰＵＣＣＨリソースにおいて該ＨＡＲＱフィードバック情報又はＳＲ情報を伝送し、ＣＳＩ情報を伝送しない。
【０１１０】
任意選択で、端末デバイスは、第１のＰＵＣＣＨリソース及び第２のＰＵＣＣＨリソースにおいて異なる上り制御情報を伝送する。ここで、端末デバイスが第１のＰＵＣＣＨリソースの前にチャネル検出が失敗した場合、端末デバイスが第２のＰＵＣＣＨリソースにおいて、従来に第１のＰＵＣＣＨリソースで伝送すべき上り制御情報を伝送する。
【０１１１】
このように、優先度の高い上り制御情報（例えばＨＡＲＱ情報又はＳＲ情報等）がより多くの伝送機会を増やし、通信リンクの遅延や性能を保証することができる
本発明の実施例の技術的な構成は、免許不要キャリアでの上り制御情報のフィードバックにおいて、上り制御情報を伝送するためのＰＵＣＣＨが位置する時間ユニットで端末デバイスのために少なくとも２つのＰＵＣＣＨリソース(例えば、第１のＰＵＣＣＨリソースと第２のＰＵＣＣＨリソース)を割り当てることによって、この端末デバイスが時間ユニットでの第１のＰＵＣＣＨリソースの伝送に失敗した場合、第２のＰＵＣＣＨリソース上で一定の確率で伝送することができ、端末デバイスが上り制御情報を伝送する機会を増加させ、通信リンク全体の遅延と性能を保証することができる。
【０１１２】
図３は本発明の実施例におけるチャネル伝送方法のフローチャート二であり、本発明の実施例において、図３に示すように、前記チャネル伝送方法は、以下のステップを含む。
【０１１３】
ステップ３０１において、端末デバイスが第２の情報を受信し、前記第２の情報は、ネットワークデバイスが前記端末デバイスのために第１の時間ユニットで割り当てる第１の伝送リソースを示すために使用され、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅い。
【０１１４】
本発明の実施例において、前記端末デバイスが第２の情報を取得することは、以下の方式により実現される。
【０１１５】
方式一：前記端末デバイスは、基地局からのシステム情報、ＲＲＣシグナリング、又はＤＣＩ等を介して、前記第２の情報を取得する。
【０１１６】
方式二：前記端末デバイスは、プロトコル規定により、前記第２の情報を取得する。
【０１１７】
方式三：前記端末デバイスは、構成情報に基づいて、前記第２の情報を取得する。
【０１１８】
本発明の実施例において、前記第２の情報は、ネットワークデバイスが前記端末デバイスのために第１の時間ユニットで割り当てる第１の伝送リソースを示すために使用され（例えば、第１のＰＵＣＣＨリソース）、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅い。
【０１１９】
ステップ３０２において、前記端末デバイスは、チャンネル検出結果に基づいて、前記第１の時間ユニットにおいて前記第１の開始シンボル又は前記第２の開始シンボルから第１の上り制御チャネルを伝送する。
【０１２０】
本発明の実施例において、前記端末デバイスがチャンネル検出結果に基づいて前記第１の時間ユニットにおいて前記第１の開始シンボル又は前記第２の開始シンボルから第１の上り制御チャネルを伝送することは、以下の方式で実現される。
【０１２１】
前記端末デバイスが前記第１の開始シンボルの前にチャネル検出を行い、前記第１の開始シンボルの前にチャネル検出が成功したと判断した場合、前記端末デバイスが前記第１の開始シンボルから前記第１の上り制御チャネルを送信し、前記第１の開始シンボルの前にチャネル検出が失敗したと判断した場合、前記端末デバイスが前記第２の開始シンボルの前にチャネル検出を行い、前記第２の開始シンボルの前に前チャネル検出が成功したと判断した場合、前記端末デバイスが前記第２の開始シンボルから前記第１の上り制御チャネルを送信し、前記第２の開始シンボルの前にチャネル検出が失敗したと判断した場合、前記端末デバイスが前記第１の上り制御チャネルを送信しない。
【０１２２】
図４を参照すると、第１の伝送リソースが第１のＰＵＣＣＨリソースであり、第１の開始点が第１のＰＵＣＣＨリソース上の第１の開始シンボルであり、第２の開始点が第１のＰＵＣＣＨリソース上の第２の開始シンボルである。
【０１２３】
図４に示すように、端末デバイスが第１の開始点の前にチャネル検出が成功した場合、該端末デバイスが第１の開始点から該第１のＰＵＣＣＨを送信し、第１の開始点の前にチャネル検出が失敗した場合、該端末デバイスが第１の開始点と第２の開始点との間で該第１のＰＵＣＣＨを送信せず、さらに、該端末デバイスが第２の開始点の前にチャネル検出を行い、端末デバイスが第２の開始点の前にチャネル検出が成功した場合、該端末デバイスが第２の開始点から該第１のＰＵＣＣＨを送信し、第２の開始点の前にチャネル検出が失敗した場合、該端末デバイスが該第１のＰＵＣＣＨを送信しない。
【０１２４】
本発明の実施例において、前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られる。
【０１２５】
本発明の実施例において、前記端末デバイスが前記第２の開始シンボルから前記第１の上り制御チャネルを送信する時に、前記第１の上り制御チャネルに第２の伝送情報が搬送され、具体的に、前記端末デバイスが前記第２の開始シンボルから前記第１の上り制御チャネルを送信する時に、以下のケースのいずれかを含み、
ケース１：前記端末デバイスが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる。
【０１２６】
ケース２：前記端末デバイスが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる。
【０１２７】
ケース３：前記端末デバイスが前記第２の開始シンボルから前記第１の上り制御チャネルを送信する時に、前記第１の上り制御チャネルに第２の伝送情報が搬送され、前記第２の伝送情報は、前記第１の上り制御情報の符号化後に前記第２の開始シンボルからレートマッチングを行うことにより得られる。
【０１２８】
以下、図５を例とし、第１の伝送情報及び第２の伝送情報について説明する。図５に示すように、第１の上り制御情報の伝送に使用される第１のＰＵＣＣＨリソースが６シンボルを占用し、第１のＰＵＣＣＨリソースに含まれる２つの開始シンボルは、第１のＰＵＣＣＨリソースにおける１番目のシンボルと４番目のシンボルであると仮定する。端末デバイスが第１のＰＵＣＣＨを１番目のシンボルから伝送する場合、第１のＰＵＣＣＨに第１の伝送情報が搬送され、即ち、第１の伝送情報は、第１の上り制御情報が符号化された後に１番目のシンボルから６つのシンボルのレートマッチングされることにより得られ、説明の便宜上、６シンボルでの該第１の伝送情報の送信内容をそれぞれ１〜６と表記する。
【０１２９】
端末デバイスが４番目のシンボルから第１のＰＵＣＣＨを伝送する場合、第１のＰＵＣＣＨに第２の伝送情報が搬送され、第２の伝送情報は、以下の３つのケースのいずれかを含み
ケース１：第２の伝送情報が第１の伝送情報の一部であり、第２の伝送情報は、１番目のシンボルからレートマッチングを行うことにより得られる。即ち、図５に示すように、第２の伝送情報は、第１の伝送情報の１〜３と付された部分である。端末デバイスが第１のＰＵＣＣＨを送信する場合、リソースが少ないため、第１の伝送情報の４〜６と付された部分を破棄することができ、実現が簡単である。
【０１３０】
ケース２：第２の伝送情報は第１の伝送情報の一部であり、第２の伝送情報は４番目のシンボルからレートマッチングによりことにより得られる。すなわち、図５に示すように、第２の伝送情報は、第１の伝送情報のうち４〜６と付された部分である。端末デバイスは、第１のＰＵＣＣＨを送信する際に、リソースが少ないため、第１の伝送情報のうち１〜３と示された部分を破棄することができ、実現が簡単である。
【０１３１】
ケース３：第２の伝送情報は、第１の上り制御情報が符号化された後に４番目のシンボルから３シンボルのレートマッチングを行うことにより得られ、説明の便宜上、該第２の伝送情報が該３つのシンボルで伝送される内容は１ '〜３ 'と表記され得る。すなわち、端末デバイスは、第１のＰＵＣＣＨを送信する際に、リソースが少ないため、第１の上り制御情報のレートマッチングをやり直す必要がある。この方式はケース１、ケース２に比べて実装が複雑であるが、高い復調性能が得られる確率がある。
【０１３２】
本発明の実施例の技術案は、上り制御情報を免許不要キャリア上でフィードバックする場合、上り制御情報を伝送するＰＵＣＣＨが位置する時間ユニットで端末デバイスのためにＰＵＣＣＨリソースを割り当て、さらに、このＰＵＣＣＨリソース上に少なくとも２つの開始シンボル(例えば、第１の開始シンボルと第２の開始シンボル)を構成することによって、該端末デバイスは、この時間ユニットで第１の開始シンボルの伝送に失敗した場合、第２の開始シンボルで伝送を開始する確率を有するようにすることができ、端末デバイスが上り制御情報を伝送する機会を増加させ、通信リンク全体の遅延と性能を確保することができる。
【０１３３】
図６は本発明の実施例におけるチャネル伝送方法のフローチャート三であり、本発明の実施例において、図６に示すように、前記チャネル伝送方法は、以下のステップを含む。
【０１３４】
ステップ６０１において、ネットワークデバイスが端末デバイスに第１の情報を送信し、前記第１の情報は、前記ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送する。
【０１３５】
本発明の実施例において、前記第２の伝送リソースの開始シンボルが前記第１の伝送リソースの開始シンボルよりも遅く、前記第１の伝送リソースと前記第２の伝送リソースとの位置関係は、以下のケースを含み、
ケース一：前記第１の伝送リソースと前記第２の伝送リソースとは、時間領域において少なくとも１つのシンボルの間隔を有する。
【０１３６】
ケース二：前記第１の伝送リソースと前記第２の伝送リソースとは、時間領域において隣接し、重複されない。
【０１３７】
ケース三：前記第１の伝送リソースと前記第２の伝送リソースとは、時間領域において少なくとも１つのシンボルが重複される。
【０１３８】
ステップ６０２において、前記ネットワークデバイスが前記第１の時間ユニットにおいて前記第１の上り制御チャネル及び／又は前記第２の上り制御チャネルを受信する。
【０１３９】
上記のケース一として、前記ネットワークデバイスが前記第１の伝送リソースにおいて前記第１の上り制御チャネルを検出し、前記第２の伝送リソースにおいて前記第２の上り制御チャネルを検出する。
【０１４０】
上記のケース二として、前記ネットワークデバイスが前記第１の伝送リソースにおいて前記第１の上り制御チャネルを検出し、前記第１の伝送リソースにおいて前記第１の上り制御チャネルを検出したと判断した場合、前記ネットワークデバイスが前記第１の伝送リソースにおいて前記第１の上り制御チャネルを受信し、前記第２の伝送リソースにおいて前記第２の上り制御チャネルを受信し、前記第１の伝送リソースにおいて前記第１の上り制御チャネルを検出しなかったと判断した場合、前記ネットワークデバイスが前記第２の伝送リソースにおいて前記第２の上り制御チャネルを検出する。
【０１４１】
上記のケース三として、前記ネットワークデバイスが前記第１の伝送リソースにおいて前記第１の上り制御チャネルを検出し、前記第１の伝送リソースにおいて前記第１の上り制御チャネルを検出したと判断した場合、前記ネットワークデバイスが前記第１の伝送リソースにおいて前記第１の上り制御チャネルを受信し、前記第２の伝送リソースにおいて前記第２の上り制御チャネルを検出せず、前記第１の伝送リソースにおいて前記第１の上り制御チャネルを検出しなかったと判断した場合、前記ネットワークデバイスが前記第２の伝送リソースにおいて前記第２の上り制御チャネルを検出する。
【０１４２】
選択可能な実施形態において、前記第１の情報は、さらに、前記端末デバイスが前記第１の上り制御チャネル及び前記第２の上り制御チャネルにおいて同じ第１の上り制御情報を伝送するように指示する。
【０１４３】
選択可能な実施形態において、前記第１の情報は、さらに、前記端末デバイスが前記第１の上り制御チャネルにおいて第１の上り制御情報のうちの優先度の低い情報を伝送し、前記第２の上り制御チャネルにおいて第１の上り制御情報のうちの優先度の高い情報を伝送するように指示する。
【０１４４】
選択可能な実施形態において、前記第１の情報は、さらに、前記端末デバイスが前記第１の上り制御チャネルにおいてチャネル状態情報を伝送し、前記第２の上り制御チャネルにおいてハイブリッド自動再送情報又はスケジューリング要求情報を伝送するように指示する。
【０１４５】
本発明のネットワークデバイス側の実施形態は、端末デバイス側の実施形態を参照すれば理解でき、ネットワークデバイス側の情報フィードバック方法は、端末デバイスの情報フィードバック方法と対応するフロー及び効果を有する。
【０１４６】
図７は本発明の実施例におけるチャネル伝送方法のフローチャート四であり、本発明の実施例において、図７に示すように、前記チャネル伝送方法は、以下のステップを含む。
【０１４７】
ステップ７０１において、ネットワークデバイスが端末デバイスに第２の情報を送信し、前記第２の情報は、前記ネットワークデバイスが前記端末デバイスのために前記第１の時間ユニットで割り当てる第１の伝送リソースを示すために用いられ、前記第１の伝送リソースが第１の上り制御チャネルを伝送し、前記第１の伝送リソースが少なくとも２つの開始シンボルを含み、前記少なくとも２つの開始シンボルが前記第１の開始シンボル及び前記第２の開始シンボルを含み、前記第２の開始シンボルが前記第１の開始シンボルよりも遅い。
【０１４８】
ステップ７０２において、前記ネットワークデバイスが前記第１の時間ユニットにおいて前記第１の開始シンボル又は前記第２の開始シンボルから前記第１の上り制御チャネルを受信する。
【０１４９】
本発明の実施例において、前記ネットワークデバイスが前記第１の時間ユニットにおいて前記第１の開始シンボル又は前記第２の開始シンボルから前記第１の上り制御チャネルを受信することは、
前記ネットワークデバイスが前記第１の開始シンボルから前記第１の上り制御チャネルを検出し、前記第１の開始シンボルから前記第１の上り制御チャネルを検出したと判断した場合、前記ネットワークデバイスが前記第１の開始シンボルから前記第１の上り制御チャネルを受信し、前記第１の開始シンボルから前記第１の上り制御チャネルを検出しなかったと判断した場合、前記ネットワークデバイスが前記第２の開始シンボルから前記第１の上り制御チャネルを検出することを含む。
【０１５０】
本発明の実施例において、前記ネットワークデバイスが前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ。
【０１５１】
本発明の実施例において、前記ネットワークデバイスが前記第２の開始シンボルから前記第１の上り制御チャネルを受信する時に、前記第１の上り制御チャネルに実際に伝送される情報は、以下のケースを有する。
【０１５２】
ケース１：前記ネットワークデバイスが前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる。
【０１５３】
ケース２：前記ネットワークデバイスが前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる。
【０１５４】
ケース３：前記ネットワークデバイスが前記第２の開始シンボルから前記第１の上り制御チャネルを受信する時に、前記第１の上り制御チャネルに第２の伝送情報が搬送され、前記第２の伝送情報は、前記第１の上り制御情報の符号化後に前記第２の開始シンボルからレートマッチングを行うことにより得られる。
【０１５５】
なお、本発明のネットワークデバイス側の実施形態は、端末デバイス側の実施形態を参照すれば理解でき、ネットワークデバイス側の情報フィードバック方法は、端末デバイスの情報フィードバック方法と対応するフロー及び効果を有する。
【０１５６】
図８は本発明の実施例におけるチャネル伝送装置の構成図一であり、図８に示すように、前記チャネル伝送装置は、受信ユニット８０１及び送信ユニット８０２を含む。
【０１５７】
受信ユニット８０１は、第１の情報を受信するように構成され、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送し、
送信ユニット８０２は、チャンネル検出結果に基づいて、前記第１の時間ユニットにおいて前記第１の上り制御チャネル及び／又は前記第２の上り制御チャネルを伝送するように構成される。
【０１５８】
ある実施形態において、前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する。
【０１５９】
ある実施形態において、前記チャネル伝送装置がさらに処理ユニットを含み、前記処理ユニットは、前記第１の伝送リソースの開始シンボルの前にチャネル検出を行い、前記第１の伝送リソースの開始シンボルの前にチャネル検出が成功したと判断した場合、前記送信ユニット８０２が前記第１の伝送リソースの開始シンボルから前記第１の上り制御チャネルを送信し、前記第１の伝送リソースの開始シンボルの前にチャネル検出が失敗したと判断した場合、前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記送信ユニット８０２が前記第２の伝送リソースの開始シンボルから前記第２の上り制御チャネルを送信し、前記第２の伝送リソースの開始シンボルの前にチャネル検出が失敗したと判断した場合、前記第２の上り制御チャネルを送信しない。
【０１６０】
ある実施形態において、前記第２の伝送リソースの開始シンボルが前記第１の伝送リソースの開始シンボルよりも遅く、
前記第１の伝送リソースと前記第２の伝送リソースとは、時間領域において隣接し、重複されない。
【０１６１】
ある実施形態において、前記チャネル伝送装置がさらに処理ユニットを含み、前記処理ユニットは、前記第１の伝送リソースの開始シンボルの前にチャネル検出を行い、前記第１の伝送リソースの開始シンボルの前にチャネル検出が成功したと判断した場合、前記送信ユニット８０２が前記第１の伝送リソースの開始シンボルから前記第１の上り制御チャネルを送信し、前記第１の上り制御チャネルの伝送が終了してから前記第２の上り制御チャネルを送信し、前記第１の伝送リソースの開始シンボルの前にチャネル検出が失敗したと判断した場合、前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記送信ユニット８０２が前記第２の伝送リソースの開始シンボルから前記第２の上り制御チャネルを送信する。
【０１６２】
ある実施形態において、前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される。
【０１６３】
ある実施形態において、前記チャネル伝送装置がさらに処理ユニットを含み、前記処理ユニットが前記第１の伝送リソースの開始シンボルの前にチャネル検出を行い、前記第１の伝送リソースの開始シンボルの前にチャネル検出が成功したと判断した場合、前記送信ユニット８０２が前記第１の伝送リソースの開始シンボルから前記第１の上り制御チャネルを送信し、前記第２の上り制御チャネルを送信せず、前記第１の伝送リソースの開始シンボルの前にチャネル検出が失敗したと判断した場合、前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記送信ユニット８０２が前記第２の伝送リソースの開始シンボルから前記第２の上り制御チャネルを送信する。
【０１６４】
ある実施形態において、前記送信ユニット８０２は、前記第１の上り制御チャネル及び前記第２の上り制御チャネルにおいて、同じ第１の上り制御情報を伝送する。
【０１６５】
ある実施形態において、前記送信ユニット８０２は、前記第１の上り制御チャネルにおいて第１の上り制御情報のうちの優先度の低い情報を伝送し、前記第２の上り制御チャネルにおいて第１の上り制御情報のうちの優先度の高い情報を伝送する。
【０１６６】
ある実施形態において、前記送信ユニット８０２は、前記第１の上り制御チャネルにおいてチャネル状態情報を伝送し、前記第２の上り制御チャネルにおいてハイブリッド自動再送情報又はスケジューリング要求情報を伝送する。
【０１６７】
図８に示したチャネル伝送装置の各ユニットの実現機能は、上述したチャネル伝送方法の説明を参酌して理解されるべきである。図８に示すチャネル伝送装置における各ユニットの機能は、プロセッサ上で動作するプログラムによって実現されてもよいし、具体的な論理回路によって実現されてもよい。
【０１６８】
図９は本発明の実施例におけるチャネル伝送装置の構成図二であり、図９に示すように、前記チャネル伝送装置は、受信ユニット９０１及び送信ユニット９０２を含む。
【０１６９】
受信ユニット９０１は、第２の情報を受信するように構成され、前記第２の情報は、ネットワークデバイスが前記端末デバイスのために第１の時間ユニットで割り当てる第１の伝送リソースを示すために使用され、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅く、
送信ユニット９０２は、チャンネル検出結果に基づいて、前記第１の時間ユニットにおいて前記第１の開始シンボル又は前記第２の開始シンボルから第１の上り制御チャネルを伝送するように構成される。
【０１７０】
ある実施形態において、前記第２の開始シンボルが前記第２の開始シンボルよりも遅く、
前記チャネル伝送装置がさらに処理ユニットを含み、前記処理ユニットが前記第１の開始シンボルの前にチャネル検出を行い、前記第１の開始シンボルの前にチャネル検出が成功したと判断した場合、前記送信ユニット９０２が前記第１の開始シンボルから前記第１の上り制御チャネルを送信し、前記第１の開始シンボルの前にチャネル検出が失敗したと判断した場合、前記第２の開始シンボルの前にチャネル検出を行い、前記第２の開始シンボルの前にチャネル検出が成功したと判断した場合、前記送信ユニット９０２が前記第２の開始シンボルから前記第１の上り制御チャネルを送信し、前記第２の開始シンボルの前にチャネル検出が失敗したと判断した場合、前記第１の上り制御チャネルを送信しないように構成される。
【０１７１】
ある実施形態において、前記送信ユニット９０２が前記第１の開始シンボルから前記第１の上り制御チャネルを送信する場合、前記第１の上り制御チャネルに第１の伝送情報が搬送され、前記第１の伝送情報は、第１の上り制御情報の符号化後に前記第１の開始シンボルからレートマッチングを行うことにより得られ、前記送信ユニット９０２が前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる。
【０１７２】
ある実施形態において、前記送信ユニット９０２が前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、前記送信ユニット９０２が前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる。
【０１７３】
ある実施形態において、前記送信ユニット９０２が前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、前記送信ユニット９０２が前記第２の開始シンボルから前記第１の上り制御チャネルを送信する時に、前記第１の上り制御チャネルに第２の伝送情報が搬送され、前記第２の伝送情報は、前記第１の上り制御情報の符号化後に前記第２の開始シンボルからレートマッチングを行うことにより得られる。
【０１７４】
図９に示したチャネル伝送装置の各ユニットの実現機能は、上述したチャネル伝送方法の説明を参酌して理解されるべきである。図９に示すチャネル伝送装置における各ユニットの機能は、プロセッサ上で動作するプログラムによって実現されてもよいし、具体的な論理回路によって実現されてもよい。
【０１７５】
図１０は本発明の実施例におけるチャネル伝送装置の構成図三であり、図１０に示すように、前記チャネル伝送装置は、送信ユニット１００１及び受信ユニット１００２を含み、
送信ユニット１００１は、端末デバイスに第１の情報を送信するように構成され、前記第１の情報は、前記ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送し、
受信ユニット１００２は、前記第１の時間ユニットで前記第１の上り制御チャネル及び／又は前記第２の上り制御チャネルを受信するように構成される。
【０１７６】
ある実施形態において、前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する。
【０１７７】
ある実施形態において、前記受信ユニット１００２は、前記第１の伝送リソースにおいて前記第１の上り制御チャネルを検出し、前記第２の伝送リソースにおいて前記第２の上り制御チャネルを検出するように構成される。
【０１７８】
ある実施形態において、前記第２の伝送リソースの開始シンボルが前記第１の伝送リソースの開始シンボルよりも遅く、
前記第１の伝送リソースと前記第２の伝送リソースとは、時間領域において隣接し、重複されない。
【０１７９】
ある実施形態において、前記受信ユニット１００２は、前記第１の伝送リソースにおいて前記第１の上り制御チャネルを検出し、前記第１の伝送リソースにおいて前記第１の上り制御チャネルを検出したと判断した場合、前記第１の伝送リソースにおいて前記第１の上り制御チャネルを受信し、前記第２の伝送リソースにおいて前記第２の上り制御チャネルを受信し、前記第１の伝送リソースにおいて前記第１の上り制御チャネルを検出しなかったと判断した場合、前記第２の伝送リソースにおいて前記第２の上り制御チャネルを検出するように構成される。
【０１８０】
ある実施形態において、前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される。
【０１８１】
ある実施形態において、前記受信ユニット１００２は、前記第１の伝送リソースにおいて前記第１の上り制御チャネルを検出し、前記第１の伝送リソースにおいて前記第１の上り制御チャネルを検出したと判断した場合、前記第１の伝送リソースにおいて前記第１の上り制御チャネルを受信し、前記第２の伝送リソースにおいて前記第２の上り制御チャネルを検出せず、前記第１の伝送リソースにおいて前記第１の上り制御チャネルを検出しなかったと判断した場合、前記第２の伝送リソースにおいて前記第２の上り制御チャネルを検出するように構成される。
【０１８２】
ある実施形態において、前記第１の情報は、さらに、前記端末デバイスが前記第１の上り制御チャネル及び前記第２の上り制御チャネルにおいて同じ第１の上り制御情報を伝送するように指示する。
【０１８３】
ある実施形態において、前記第１の情報は、さらに、前記端末デバイスが前記第１の上り制御チャネルにおいて第１の上り制御情報のうちの優先度の低い情報を伝送し、前記第２の上り制御チャネルにおいて第１の上り制御情報のうちの優先度の高い情報を伝送するように指示する。
【０１８４】
ある実施形態において、前記第１の情報は、さらに、前記端末デバイスが前記第１の上り制御チャネルにおいてチャネル状態情報を伝送し、前記第２の上り制御チャネルにおいてハイブリッド自動再送情報又はスケジューリング要求情報を伝送するように指示する。
【０１８５】
図１０に示したチャネル伝送装置の各ユニットの実現機能は、上述したチャネル伝送方法の説明を参酌して理解されるべきである。図１０に示すチャネル伝送装置における各ユニットの機能は、プロセッサ上で動作するプログラムによって実現されてもよいし、具体的な論理回路によって実現されてもよい。
【０１８６】
図１１は本発明の実施例におけるチャネル伝送装置の構成図四であり、図１１に示すように、前記チャネル伝送装置は、送信ユニット１１０１及び受信ユニット１１０２を含み、
送信ユニット１１０１は、端末デバイスに第２の情報を送信するように構成され、前記第２の情報は、前記ネットワークデバイスが前記端末デバイスのために前記第１の時間ユニットで割り当てる第１の伝送リソースを示すために用いられ、前記第１の伝送リソースが第１の上り制御チャネルを伝送し、前記第１の伝送リソースが少なくとも２つの開始シンボルを含み、前記少なくとも２つの開始シンボルが前記第１の開始シンボル及び前記第２の開始シンボルを含み、前記第２の開始シンボルが前記第１の開始シンボルよりも遅く、
受信ユニット１１０２は、前記第１の時間ユニットにおいて前記第１の開始シンボル又は前記第２の開始シンボルから前記第１の上り制御チャネルを受信するように構成される。
【０１８７】
ある実施形態において、前記受信ユニット１１０２は、前記第１の開始シンボルから前記第１の上り制御チャネルを検出し、前記第１の開始シンボルから前記第１の上り制御チャネルを検出したと判断した場合、前記第１の開始シンボルから前記第１の上り制御チャネルを受信し、前記第１の開始シンボルから前記第１の上り制御チャネルを検出しなかったと判断した場合、前記第２の開始シンボルから前記第１の上り制御チャネルを検出するように構成される。
【０１８８】
ある実施形態において、前記受信ユニット１１０２が前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記受信ユニット１１０２が前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる。
【０１８９】
ある実施形態において、前記受信ユニット１１０２が前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記受信ユニット１１０２が前記第２の開始シンボルから前記第１の上り制御チャネルを受信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる。
【０１９０】
ある実施形態において、前記受信ユニット１１０２が前記第１の開始シンボルから前記第１の上り制御チャネルを受信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記受信ユニット１１０２が前記第２の開始シンボルから前記第１の上り制御チャネルを受信する時に、前記第１の上り制御チャネルに第２の伝送情報が搬送され、前記第２の伝送情報は、前記第１の上り制御情報の符号化後に前記第２の開始シンボルからレートマッチングを行うことにより得られる。
【０１９１】
図１１に示したチャネル伝送装置の各ユニットの実現機能は、上述したチャネル伝送方法の説明を参酌して理解されるべきである。図１１に示すチャネル伝送装置における各ユニットの機能は、プロセッサ上で動作するプログラムによって実現されてもよいし、具体的な論理回路によって実現されてもよい。
【０１９２】
本発明の実施の形態に係る伝送装置は、ソフトウェア機能ブロックの形で実現され、独立した製品として販売又は使用される場合には、コンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１９３】
従って、本発明の実施形態は、プロセッサによって実行されたときに、本発明の実施形態の上述のチャネル伝送方法を実装するコンピュータ実行可能命令を記憶したコンピュータ記憶媒体をさらに提供する。
【０１９４】
図１２は、本発明の実施の形態に係るコンピュータデバイスの構成を示す図であり、このコンピュータデバイスは、端末デバイスであってもよいし、ネットワークデバイスであってもよい。図１２に示すように、コンピュータデバイス１００は、１つ又は複数の(図面には１つのみ示す)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図１２に示す構成は、あくまでも例示であり、上述した電子機器の構成に限定されるものではないことは、当業者に理解されるところである。例えば、コンピュータデバイス１００は、図１２に示す構成よりも多いか少ない構成要素をさらに含んでもよく、または図１２に示す構成と異なる構成を有してもよい。
【０１９５】
メモリ１００４は、本発明の実施形態における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１９６】
伝送装置１００６は、ネットワークを介してデータを送受信するための装置である。上記のネットワークの具体例は、コンピュータデバイス１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０１９７】
本発明の実施例に記載した技術的手段は、矛盾なき限り、任意に組み合わせることができる。
【０１９８】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１９９】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよい。また、本実施形態の目的を達成する手段の一部又は全部を、必要に応じて選択することができる。
【０２００】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい。上記の統合されたユニットは、ハードウェアの形態で実現されてもよいし、ハードウェア及びソフトウェア機能ユニットの形態で実現されてもよい。
【０２０１】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021516894.tif 000004
【図２】
2021516894.tif 000005
【図３】
2021516894.tif 000006
【図４】
2021516894.tif 000007
【図５】
2021516894.tif 000008
【図６】
2021516894.tif 000009
【図７】
2021516894.tif 000010
【図８】
2021516894.tif 000011
【図９】
2021516894.tif 000012
【図１０】
2021516894.tif 000013
【図１１】
2021516894.tif 000014
【図１２】
2021516894.tif 000015
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
端末デバイスが第１の情報を受信し、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送することと、
前記端末デバイスがチャンネル検出結果に基づいて、前記第１の時間ユニットにおいて前記第１の上り制御チャネル及び／又は前記第２の上り制御チャネルを伝送することとを含む
ことを特徴とするチャネル伝送方法。
【請求項２】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルの間隔を有する
ことを特徴とする請求項１に記載のチャネル伝送方法。
【請求項３】
前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行い、前記第１の伝送リソースの開始シンボルの前にチャネル検出が成功したと判断した場合、前記端末デバイスが前記第１の伝送リソースの開始シンボルから前記第１の上り制御チャネルを送信し、前記第１の伝送リソースの開始シンボルの前にチャネル検出が失敗したと判断した場合、前記端末デバイスが前記第１の上り制御チャネルを送信せず、
前記端末デバイスが前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信し、前記第２の伝送リソースの開始シンボルの前にチャネル検出が失敗したと判断した場合、前記端末デバイスが前記第２の上り制御チャネルを送信しないこととを含む
ことを特徴とする請求項２に記載のチャネル伝送方法。
【請求項４】
前記第２の伝送リソースの開始シンボルが前記第１の伝送リソースの開始シンボルよりも遅く、
前記第１の伝送リソースと前記第２の伝送リソースとは、時間領域において隣接し、重複されない
ことを特徴とする請求項１に記載のチャネル伝送方法。
【請求項５】
前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行うことと、
前記第１の伝送リソースの開始シンボルの前にチャネル検出が成功したと判断した場合、前記端末デバイスが前記第１の伝送リソースの開始シンボルから前記第１の上り制御チャネルを送信し、前記第１の上り制御チャネルの伝送が終了してから前記第２の上り制御チャネルを送信することと、
前記第１の伝送リソースの開始シンボルの前にチャネル検出が失敗したと判断した場合、前記端末デバイスが前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信することとを含む
ことを特徴とする請求項４に記載のチャネル伝送方法。
【請求項６】
前記第２の伝送リソースの開始シンボルが前記第１の伝送リソースの開始シンボルよりも遅く、
前記第１の伝送リソースと前記第２の伝送リソースとは、時間領域において少なくとも１つのシンボルが重複される
ことを特徴とする請求項１に記載のチャネル伝送方法。
【請求項７】
前記端末デバイスがチャンネル検出結果に基づいて、前記第１の時間ユニットにおいて前記第１の上り制御チャネル及び／又は前記第２の上り制御チャネルを伝送することは、
前記端末デバイスが前記第１の伝送リソースの開始シンボルの前にチャネル検出を行うことと、
前記第１の伝送リソースの開始シンボルの前にチャネル検出が成功したと判断した場合、前記端末デバイスが前記第１の伝送リソースの開始シンボルから前記第１の上り制御チャネルを送信し、前記第２の上り制御チャネルを送信せず、
前記第１の伝送リソースの開始シンボルの前にチャネル検出が失敗したと判断した場合、前記端末デバイスが前記第１の上り制御チャネルを送信せず、前記第２の伝送リソースの開始シンボルの前にチャネル検出を行い、前記第２の伝送リソースの開始シンボルの前にチャネル検出が成功したと判断した場合、前記端末デバイスが前記第２の伝送リソースの開始シンボルから前記第２の上り制御チャネルを送信することとを含む
ことを特徴とする請求項６に記載のチャネル伝送方法。
【請求項８】
前記端末デバイスが前記第１の上り制御チャネル及び前記第２の上り制御チャネルにおいて同じ第１の上り制御情報を伝送する
ことを特徴とする請求項１〜７のいずれか１項に記載のチャネル伝送方法。
【請求項９】
前記端末デバイスが前記第１の上り制御チャネルにおいてチャネル状態情報を伝送し、前記第２の上り制御チャネルにおいてハイブリッド自動再送情報又はスケジューリング要求情報を伝送する
ことを特徴とする請求項１〜７のいずれか１項に記載のチャネル伝送方法。
【請求項１０】
端末デバイスが第２の情報を受信し、前記第２の情報は、ネットワークデバイスが前記端末デバイスのために第１の時間ユニットで割り当てる第１の伝送リソースを示すために使用され、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅いことと、
前記端末デバイスがチャンネル検出結果に基づいて、前記第１の時間ユニットにおいて前記第１の開始シンボル又は前記第２の開始シンボルから前記第１の上り制御チャネルを伝送することとを含む
ことを特徴とするチャネル伝送方法。
【請求項１１】
前記端末デバイスがチャンネル検出結果に基づいて、前記第１の時間ユニットにおいて前記第１の開始シンボル又は前記第２の開始シンボルから第１の上り制御チャネルを伝送することは、
前記端末デバイスが前記第１の開始シンボルの前にチャネル検出を行うことと、
前記第１の開始シンボルの前にチャネル検出が成功したと判断した場合、前記端末デバイスが前記第１の開始シンボルから前記第１の上り制御チャネルを送信することと、
前記第１の開始シンボルの前にチャネル検出が失敗したと判断した場合、前記端末デバイスが前記第２の開始シンボルの前にチャネル検出を行い、前記第２の開始シンボルの前に前チャネル検出が成功したと判断した場合、前記端末デバイスが前記第２の開始シンボルから前記第１の上り制御チャネルを送信し、前記第２の開始シンボルの前にチャネル検出が失敗したと判断した場合、前記端末デバイスが前記第１の上り制御チャネルを送信しないこととを含む
ことを特徴とする請求項１０に記載のチャネル伝送方法。
【請求項１２】
前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記端末デバイスが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第２の開始シンボルからレートマッチングを行うことにより得られる
ことを特徴とする請求項１０又は１１に記載のチャネル伝送方法。
【請求項１３】
前記端末デバイスが前記第１の開始シンボルから前記第１の上り制御チャネルを送信する時に、前記第１の上り制御チャネルに第１の伝送情報が搬送され、前記第１の伝送情報は、第１の上り制御情報の符号化後に前記第１の開始シンボルからレートマッチングを行うことにより得られ、
前記端末デバイスが前記第２の開始シンボルから前記第１の上り制御チャネルを送信する時に、前記第１の上り制御チャネルに第２の伝送情報が搬送され、前記第２の伝送情報が前記第１の伝送情報の一部であり、前記第２の伝送情報は、前記第１の上り制御情報の符号化後に前記第１の開始シンボルからレートマッチングを行うことにより得られる
ことを特徴とする請求項１０又は１１に記載のチャネル伝送方法。
【請求項１４】
受信ユニットと、送信ユニットと、を備えるチャネル伝送装置であって、
前記受信ユニットは、第１の情報を受信するように構成され、前記第１の情報は、ネットワークデバイスが前記端末デバイスのために第１の時間ユニットで割り当てる少なくとも２つの伝送リソースを示すために使用され、前記少なくとも２つの伝送リソースが第１の伝送リソース及び第２の伝送リソースを含み、前記第１の伝送リソースが第１の上り制御チャネルを伝送し、前記第２の伝送リソースが第２の上り制御チャネルを伝送し、
前記送信ユニットは、チャンネル検出結果に基づいて、前記第１の時間ユニットにおいて前記第１の上り制御チャネル及び／又は前記第２の上り制御チャネルを伝送するように構成される
ことを特徴とするチャネル伝送装置。
【請求項１５】
受信ユニットと、送信ユニットと、を備えるチャネル伝送装置であって、
受信ユニットは、第２の情報を受信するように構成され、前記第２の情報は、ネットワークデバイスが前記端末デバイスのために第１の時間ユニットで割り当てる第１の伝送リソースを示すために使用され、前記第１の伝送リソースが第１の上り制御チャネルを伝送し、前記第１の伝送リソースが少なくとも２つの開始シンボルを含み、前記少なくとも２つの開始シンボルが第１の開始シンボル及び第２の開始シンボルを含み、前記第２の開始シンボルが前記第１の開始シンボルよりも遅く、
送信ユニットは、チャンネル検出結果に基づいて、前記第１の時間ユニットにおいて前記第１の開始シンボル又は前記第２の開始シンボルから前記第１の上り制御チャネルを伝送するように構成される
ことを特徴とするチャネル伝送装置。
【国際調査報告】
2021516894.tif 000016
2021516894.tif 000017
2021516894.tif 000018
2021516894.tif 000019